(57)【要約】【課題】遊技者が報知した順序以外でストップスイッチを操作したときに、メダルを獲得する機会を逸することを防止できるスロットマシンを提供する。【解決手段】ストップスイッチの操作時における回転リールの回転位置によらずに、図柄の組み合わせを揃い得る「第一種当選役」と、ストップスイッチの操作時における回転リールの回転位置によって、図柄の組み合わせを揃い得るか否かが異なる「第二種当選役」とがある。当選役の抽選において、１つの第一種当選役及び異なる複数の第二種当選役に重複当選することがある。当選役の抽選で重複当選した場合に、所定の順序と異なるストップスイッチの操作を契機に当該回転リールが第二種当選役に係る図柄を有効ライン上に表示させたときに、当該当選役に係る図柄の組み合わせを有効ライン上に揃えさせるためにストップスイッチの操作時に狙わせる回転リールの図柄についての報知を実行する。【選択図】図１２
2010207528.tif 000002
【特許請求の範囲】
【請求項１】
表面に複数個の図柄が付された複数個の回転リールと、
各回転リールの回転を開始させるためのスタートスイッチと、
各回転リールに対応して設けられ、対応する回転リールの回転を停止させるためのストップスイッチと、
スタートスイッチの操作を契機に、複数の当選役のいずれに当選か又はハズレかの抽選を行うための当選抽選手段と、
ストップスイッチの操作を契機に、対応する回転リールの回転位置及び当選抽選手段の抽選結果に基づいて、当該回転リールの停止制御を行うための停止制御手段とを備え、
複数の当選役には、
ストップスイッチの操作時における回転リールの回転位置によらずに、有効ライン上に図柄の組み合わせを揃い得る当選役（以下「第一種当選役」という。）と、
ストップスイッチの操作時における回転リールの回転位置によって、有効ライン上に図柄の組み合わせを揃い得るか否かが異なる当選役（以下「第二種当選役」という。）とがあり、
当選抽選手段の抽選において、１つの第一種当選役及び異なる複数の第二種当選役に重複して当選すること（以下「重複当選」という。）があり、
停止制御手段は、当選抽選手段の抽選で重複当選した場合に、ストップスイッチが所定の順序で操作されたときには、第一種当選役に係る図柄の組み合わせのみ有効ライン上に揃えるように停止制御を行い、
当選抽選手段の抽選で重複当選した場合において、所定の順序と異なるストップスイッチの操作を契機に当該回転リールが回転を停止するとともに、第二種当選役に係る図柄を有効ライン上に表示させたとき（すべての回転リールが回転を停止したときを除く）に、当該当選役に係る図柄の組み合わせを有効ライン上に揃えさせるためにストップスイッチの操作時に狙わせる回転リールの図柄についての報知を実行可能にしたことを特徴とするスロットマシン。
【請求項２】
各回転リールの図柄は、当選抽選手段の抽選で重複当選した場合において、いずれか１つの第二種当選役に係る図柄の組み合わせが有効ライン上に揃ったときに、他の第二種当選役に係る図柄の組み合わせが有効ライン上に揃わないように配置され、
当選抽選手段の抽選で重複当選した場合に、所定の順序と異なるストップスイッチの操作を契機に当該回転リールが回転を停止するとともに、第二種当選役に係る図柄を有効ライン上に表示させたとき（すべての回転リールが回転を停止したときを除く）に、第二種当選役に係る図柄の組み合わせを有効ライン上に揃えさせるためにストップスイッチの操作時に狙わせる回転リールの図柄についての報知を実行可能にしたことを特徴とする請求項１に記載のスロットマシン。
【請求項３】
各回転リールの図柄は、当選抽選手段の抽選で重複当選した場合において、異なる複数の第二種当選役に係る図柄の組み合わせが有効ライン上に同時に揃い得るように配置され、
当選抽選手段の抽選で重複当選した場合に、所定の順序と異なるストップスイッチの操作を契機に当該回転リールが回転を停止するとともに、第二種当選役に係る図柄を有効ライン上に表示させたとき（すべての回転リールが回転を停止したときを除く）に、異なる複数の第二種当選役に係る図柄の組み合わせを有効ライン上に同時に揃えさせるためにストップスイッチの操作時に狙わせる回転リールの図柄についての報知を実行可能にしたことを特徴とする請求項１に記載のスロットマシン。
【請求項４】
表面に複数個の図柄が付された複数個の回転リールと、
各回転リールの回転を開始させるためのスタートスイッチと、
各回転リールに対応して設けられ、対応する回転リールの回転を停止させるためのストップスイッチと、
スタートスイッチの操作を契機に、複数の当選役のいずれに当選か又はハズレかの抽選を行うための当選抽選手段と、
ストップスイッチの操作を契機に、対応する回転リールの回転位置及び当選抽選手段の抽選結果に基づいて、当該回転リールの停止制御を行うための停止制御手段とを備え、
複数の当選役には、第一種当選役と第二種当選役とがあり、
当選抽選手段の抽選において、重複当選することがあり、
各回転リールの図柄は、当選抽選手段の抽選で重複当選した場合において、第一種当選役に係る図柄の組み合わせが異なる有効ライン上に同時に揃い得るように配置され、
停止制御手段は、当選抽選手段の抽選で重複当選した場合に、ストップスイッチが所定の順序で操作されたときには、第一種当選役に係る図柄の組み合わせを異なる有効ライン上に同時に揃えるように停止制御を行い、
当選抽選手段の抽選で重複当選した場合において、所定の順序と異なるストップスイッチの操作を契機に当該回転リールが回転を停止するとともに、第一種当選役に係る図柄を有効ライン上に表示させたとき（すべての回転リールが回転を停止したときを除く）に、第一種当選役に係る図柄の組み合わせを異なる有効ライン上に同時に揃えさせるためにストップスイッチの操作時に狙わせる回転リールの図柄についての報知を実行可能にしたことを特徴とするスロットマシン。
【請求項５】
当選抽選手段の抽選で重複当選した場合において、所定の順序と異なるストップスイッチが最初に操作されたことを契機に、当該回転リールの停止制御を行うが、所定の時間が経過するまでは他のストップスイッチが操作されても他の回転リールの停止制御を行わないようにしたことを特徴とする請求項１ないし４のいずれかに記載のスロットマシン。
【発明の詳細な説明】
【技術分野】
【０００１】
本発明は、スロットマシンに関し、さらに詳しくは、当選役の入賞により支払われるメダルの枚数が、ストップスイッチの操作順序に応じて変化するスロットマシンに関するものである。
【背景技術】
【０００２】
従来、遊技媒体としてメダルを用いて遊技を行う遊技機には、周面に複数の図柄が付された３個の回転リールと、各回転リールの回転を開始させるためのスタートスイッチと、それぞれの回転リールに対応して設けられ、対応する回転リールの回転を停止させるためのストップスイッチとを備えたスロットマシンが知られている。
このようなスロットマシンでは、スタートスイッチの操作を契機に、３個の回転リールが回転を開始するとともに、複数の当選役のいずれに当選かまたはハズレかの抽選が行われる。ここで、抽選で当選役に当選した場合に、ストップスイッチが操作されると、この当選役に係る図柄の組み合わせが有効ライン上に揃い得るように各回転リールの停止制御が行われる。そして、すべての回転リールが回転を停止したときに、当選役に係る図柄の組み合わせが有効ライン上に揃うと、この当選役の入賞となってメダルの払い出し等が行われる。
【０００３】
また、通常の遊技である「通常遊技」や、通常遊技よりも多くのメダルを獲得し得る「特別遊技（例えば、ビッグボーナスやレギュラーボーナス）」や、当選役の抽選結果に関する情報を報知する「アシストタイム」を有するスロットマシンが知られている。アシストタイム中は、抽選で当選役に当選した場合に、３個のストップスイッチを操作する順序が報知される。そして、報知された順序でストップスイッチを操作すると、当選役に入賞するが、これ以外の順序でストップスイッチを操作すると、当選役に入賞しないようになっている。また、アシストタイム中に実行したゲームの回数をカウントするゲーム回数カウント手段を備えており、ゲーム回数カウント手段のカウントが所定回数に達すると、アシストタイムを終了するようになっている。
【０００４】
しかし、遊技者が、報知に気が付かずに、または習慣的に間違った順序でストップスイッチを操作して、当選役の入賞を逃すことがあった。
そこで、遊技者がメダルを獲得する機会を逸することを防止するために、報知された順序以外でストップスイッチが操作された場合には、ゲーム回数カウント手段が当該ゲームをカウントから除外する技術が公開されている（特許文献１参照）。
【先行技術文献】
【特許文献】
【０００５】
【特許文献１】特開２００４−９７３００号公報
【発明の概要】
【発明が解決しようとする課題】
【０００６】
ところで、特許文献１に記載されたスロットマシンでは、報知された順序以外でストップスイッチが操作された場合に、ゲーム回数カウント手段が当該ゲームをカウントから除外することから、アシストタイム中に実行できるゲームが１回増えることになる。
しかし、この増えたゲームにおいて、必ずしも抽選で当選役に当選するとは限らないことから、遊技者がメダルを獲得する機会を逸することを十分に防止できなかった。
そこで、本発明は、上述のような問題に鑑みてなされたものであり、その目的とするところは、抽選で当選役に当選した場合に、報知された順序以外でストップスイッチが操作されたときに、当該ゲームにおいて当選役に入賞し得るようにすることにより、遊技者がメダルを獲得する機会を逸することを防止できるスロットマシンを提供することである。
【課題を解決するための手段】
【０００７】
（請求項１）
請求項１に記載の発明は、表面に複数個の図柄が付された複数個の回転リール(23)と、各回転リール(23)の回転を開始させるためのスタートスイッチ(53)と、各回転リール(23)に対応して設けられ、対応する回転リール(23)の回転を停止させるためのストップスイッチ(54)と、スタートスイッチ(54)の操作を契機に、複数の当選役のいずれに当選か又はハズレかの抽選を行うための当選抽選手段(130)と、ストップスイッチ(54)の操作を契機に、対応する回転リール(23)の回転位置及び当選抽選手段(130)の抽選結果に基づいて、当該回転リール(23)の停止制御を行うための停止制御手段(160)とを備え、複数の当選役には、ストップスイッチ(54)の操作時における回転リール(23)の回転位置によらずに、有効ライン(37)上に図柄の組み合わせを揃い得る当選役（以下「第一種当選役」という。）と、ストップスイッチ(54)の操作時における回転リール(23)の回転位置によって、有効ライン(37)上に図柄の組み合わせを揃い得るか否かが異なる当選役（以下「第二種当選役」という。）とがあり、当選抽選手段(130)の抽選において、１つの第一種当選役及び異なる複数の第二種当選役に重複して当選すること（以下「重複当選」という。）があり、停止制御手段(160)は、当選抽選手段(130)の抽選で重複当選した場合に、ストップスイッチ(54)が所定の順序で操作されたときには、第一種当選役に係る図柄の組み合わせのみ有効ライン上に揃えるように停止制御を行い、当選抽選手段(130)の抽選で重複当選した場合において、所定の順序と異なるストップスイッチ(54)の操作を契機に当該回転リール(23)が回転を停止するとともに、第二種当選役に係る図柄を有効ライン(37)上に表示させたとき（すべての回転リール(23)が回転を停止したときを除く）に、当該当選役に係る図柄の組み合わせを有効ライン(37)上に揃えさせるためにストップスイッチ(54)の操作時に狙わせる回転リール(23)の図柄についての報知を実行可能にしたことを特徴とするスロットマシン(S)に関するものである。
【０００８】
（請求項２）
請求項２に記載の発明は、請求項１に記載の発明の特徴に加え、各回転リール(23)の図柄は、当選抽選手段(130)の抽選で重複当選した場合において、いずれか１つの第二種当選役に係る図柄の組み合わせが有効ライン(37)上に揃ったときに、他の第二種当選役に係る図柄の組み合わせが有効ライン(37)上に揃わないように配置され、当選抽選手段(130)の抽選で重複当選した場合に、所定の順序と異なるストップスイッチ(54)の操作を契機に当該回転リール(23)が回転を停止するとともに、第二種当選役に係る図柄を有効ライン(37)上に表示させたとき（すべての回転リール(23)が回転を停止したときを除く）に、第二種当選役に係る図柄の組み合わせを有効ライン(37)上に揃えさせるためにストップスイッチ(54)の操作時に狙わせる回転リール(23)の図柄についての報知を実行可能にしたことを特徴とするスロットマシン(S)に関するものである。
【０００９】
（請求項３）
請求項３に記載の発明は、請求項１に記載の発明の特徴に加え、各回転リール(23)の図柄は、当選抽選手段(130)の抽選で重複当選した場合において、異なる複数の第二種当選役に係る図柄の組み合わせが有効ライン(37)上に同時に揃い得るように配置され、当選抽選手段(130)の抽選で重複当選した場合に、所定の順序と異なるストップスイッチ(54)の操作を契機に当該回転リール(23)が回転を停止するとともに、第二種当選役に係る図柄を有効ライン(37)上に表示させたとき（すべての回転リール(23)が回転を停止したときを除く）に、異なる複数の第二種当選役に係る図柄の組み合わせを有効ライン(37)上に同時に揃えさせるためにストップスイッチ(54)の操作時に狙わせる回転リール(23)の図柄についての報知を実行可能にしたことを特徴とするスロットマシン(S)に関するものである。
【００１０】
（請求項４）
請求項４に記載の発明は、表面に複数個の図柄が付された複数個の回転リール(23)と、各回転リール(23)の回転を開始させるためのスタートスイッチ(53)と、各回転リール(23)に対応して設けられ、対応する回転リール(23)の回転を停止させるためのストップスイッチ(54)と、スタートスイッチ(23)の操作を契機に、複数の当選役のいずれに当選か又はハズレかの抽選を行うための当選抽選手段(130)と、ストップスイッチ(54)の操作を契機に、対応する回転リール(23)の回転位置及び当選抽選手段(130)の抽選結果に基づいて、当該回転リール(23)の停止制御を行うための停止制御手段(160)とを備え、複数の当選役には、第一種当選役と第二種当選役とがあり、当選抽選手段(130)の抽選において、重複当選することがあり、各回転リール(23)の図柄は、当選抽選手段(130)の抽選で重複当選した場合において、第一種当選役に係る図柄の組み合わせが異なる有効ライン(37)上に同時に揃い得るように配置され、停止制御手段(160)は、当選抽選手段(130)の抽選で重複当選した場合に、ストップスイッチ(54)が所定の順序で操作されたときには、第一種当選役に係る図柄の組み合わせを異なる有効ライン(37)上に同時に揃えるように停止制御を行い、当選抽選手段(130)の抽選で重複当選した場合において、所定の順序と異なるストップスイッチ(54)の操作を契機に当該回転リール(23)が回転を停止するとともに、第一種当選役に係る図柄を有効ライン(37)上に表示させたとき（すべての回転リール(23)が回転を停止したときを除く）に、第一種当選役に係る図柄の組み合わせを異なる有効ライン(37)上に同時に揃えさせるためにストップスイッチ(54)の操作時に狙わせる回転リール(23)の図柄についての報知を実行可能にしたことを特徴とするスロットマシン(S)に関するものである。
【００１１】
（請求項５）
請求項５に記載の発明は、請求項１ないし４のいずれかに記載の発明の特徴に加え、当選抽選手段(130)の抽選で重複当選した場合において、所定の順序と異なるストップスイッチ(54)が最初に操作されたことを契機に、当該回転リール(23)の停止制御を行うが、所定の時間が経過するまでは他のストップスイッチ(54)が操作されても他の回転リール(23)の停止制御を行わないようにしたことを特徴とするスロットマシン(S)に関するものである。
【発明の効果】
【００１２】
（請求項１ないし３）
請求項１ないし３に記載の発明によれば、当選抽選手段の抽選で重複当選した場合において、所定の順序と異なるストップスイッチの操作を契機に当該回転リールが回転を停止するとともに、第二種当選役に係る図柄を有効ライン上に表示させたときに、当該当選役に係る図柄の組み合わせを有効ライン上に揃えさせるためにストップスイッチの操作時に狙わせる回転リールの図柄についての報知を実行することがある。これにより、当該ゲームにおいて当選役に入賞し得るようにすることができ、遊技者がメダルを獲得する機会を逸することを防止できる。
【００１３】
（請求項４）
請求項４に記載の発明によれば、当選抽選手段の抽選で重複当選した場合において、所定の順序と異なるストップスイッチの操作を契機に当該回転リールが回転を停止するとともに、第一種当選役に係る図柄を有効ライン上に表示させたとき（すべての回転リールが回転を停止したときを除く）に、第一種当選役に係る図柄の組み合わせを異なる有効ライン上に同時に揃えさせるためにストップスイッチの操作時に狙わせる回転リールの図柄についての報知を実行することがある。これにより、当該ゲームにおいて当選役に入賞し得るようにすることができ、遊技者がメダルを獲得する機会を逸することを防止できる。
【００１４】
（請求項５）
請求項５に記載の発明によれば、請求項１ないし４に記載の発明の効果に加え、次の効果を奏する。
すなわち、請求項５に記載の発明によれば、当選抽選手段の抽選で重複当選した場合において、所定の順序と異なるストップスイッチが最初に操作されたときに、所定の時間が経過するまでは他のストップスイッチが操作されても他の回転リールの停止制御を行わないようになっている。これにより、これにより、他のストップスイッチが操作されても、他の回転リールが回転を停止しないので、当該ゲームにおいて当選役に入賞し得るようにすることができ、遊技者がメダルを獲得する機会を逸することを防止できる。
【図面の簡単な説明】
【００１５】
【図１】第１の実施の形態に係るスロットマシンを示す斜視図である。
【図２】第１の実施の形態に係るスロットマシンにおいて前扉を取り外した状態を示す斜視図である。
【図３】第１の実施の形態に係るスロットマシンにおける図柄表示窓及び有効ラインを示す正面図である。
【図４】第１の実施の形態に係るスロットマシンにおける各回転リールのリールテープを展開して示す展開図である。
【図５】第１の実施の形態に係るスロットマシンにおける制御装置の入力、制御及び出力の概略を示すブロック図である。
【図６】第１の実施の形態に係るスロットマシンにおいて、有効ライン上に図柄の組み合わせが揃うと入賞となる当選役、及び当該図柄を説明する説明図である。
【図７】第１の実施の形態に係るスロットマシンにおいて、当選抽選手段の抽選で重複当選する抽選結果を説明する説明図である。
【図８】第１の実施の形態に係るスロットマシンにおける遊技の制御の概略を示すフローチャートである。
【図９】第１の実施の形態に係るスロットマシンにおける当選抽選処理を示すフローチャートである。
【図１０】第１の実施の形態に係るスロットマシンにおける停止制御処理を示すフローチャートである。
【図１１】第１の実施の形態に係るスロットマシンにおける停止制御処理を示すフローチャートである。
【図１２】第１の実施の形態に係るスロットマシンにおける演出の制御の概略を示すフローチャートである。
【図１３】第２の実施の形態に係るスロットマシンにおける各回転リールのリールテープを展開して示す展開図である。
【図１４】第２の実施の形態に係るスロットマシンにおいて、有効ライン上に図柄の組み合わせが揃うと入賞となる当選役、及び当該図柄を説明する説明図である。
【図１５】第２の実施の形態に係るスロットマシンにおいて、当選抽選手段の抽選で重複当選する抽選結果を説明する説明図である。
【図１６】第２の実施の形態に係るスロットマシンにおいて、当選抽選手段の抽選で重複当選する抽選結果を説明する説明図である。
【図１７】第２の実施の形態に係るスロットマシンにおける停止制御処理を示すフローチャートである。
【図１８】第２の実施の形態に係るスロットマシンにおける図柄表示判定処理を示すフローチャートである。
【図１９】第２の実施の形態に係るスロットマシンにおける演出の制御の概略を示すフローチャートである。
【図２０】第３の実施の形態に係るスロットマシンにおける各回転リールのリールテープを展開して示す展開図である。
【図２１】第３の実施の形態に係るスロットマシンにおける停止制御処理を示すフローチャートである。
【図２２】第３の実施の形態に係るスロットマシンにおける演出の制御の概略を示すフローチャートである。
【図２３】第４の実施の形態に係るスロットマシンにおける停止制御処理を示すフローチャートである。
【発明を実施するための形態】
【００１６】
本発明を実施するための形態を４例挙げて、図面を参照しつつ順次説明する。
（第１の実施の形態）
（スロットマシンS）
本実施の形態に係るスロットマシンSは、遊技媒体としてメダルを用いて遊技が行われる。ここで、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
【００１７】
スロットマシンSは、図１及び図２に示すように、正面側に開口する正面開口部11を有する箱形の筐体1を備えている。筐体1の内部には、高さ方向略中央で水平となるように中板12が設けられている。また、筐体1の正面には、筐体1の正面開口部11を開閉可能に閉塞する前扉3が設けられている。前扉3は、正面開口部11の上部を開閉可能に閉塞する上扉30と、正面開口部11の下部を開閉可能に閉塞する下扉40とを備えている。
また、筐体1の底板には、各部品に電力を供給するための電源装置を内蔵した電源ユニット4と、メダルを貯留するとともに、その貯留したメダルを受け皿43へ払い出すためのホッパー5とが設置されている。ホッパー5は、特に図示しないが、複数のメダルを貯留することが可能なメダルタンクと、メダルタンクに貯留されているメダルを１枚ずつ排出するための払出装置6と、払出装置6により排出されたメダルを検出するための払出センサー7とを備えている。また、払出装置6により排出されたメダルは、メダル排出部44を通って受け皿43に払い出されるようになっている。
【００１８】
また、筐体１の内部には、３個の回転リール23を有するリールユニット22と、スロットマシンSの遊技を制御するための遊技制御装置100とが設けられている。
リールユニット22は、３個の回転リール23（左側に位置する「左回転リール23L」、中央に位置する「中央回転リール23M」、右側に位置する「右回転リール23R」）と、それぞれの駆動軸に固定された回転リール23を回転駆動するための３個のステッピングモータ26とを備えている。また、各回転リール23は、合成樹脂からなる回転ドラムと、回転ドラムの周囲に貼付されるテープ状のリールテープ28とを備えている。このリールテープ28の外周面には、図４に示すように、「７（赤色）」、「７（青色）」、「ＢＡＲ」、「ベル」、「スイカ」、「花スイカ」、「チェリー」、「ＲＥＰ」、「星」及び「花」の図柄が配置されている。また、各回転リール23の回転ドラムには、突起状のインデックスが設けられるとともに、リールユニット22の所定位置には、インデックスを検出するためのインデックスセンサー27が設けられている。
【００１９】
上扉30の略中央部には、各回転リール23の図柄を正面側から視認可能にするための図柄表示窓31が設けられている。また、図３に示すように、図柄表示窓31には、５本の有効ライン37が形成されている。ここで、各有効ライン37上に図柄を適正に表示する時の回転リール23の停止位置を、「停止基準位置」という。各回転リール23には、図柄が２１個ずつ付されていることから、停止基準位置も２１ずつ存在する。なお、各回転リール23が停止基準位置に停止する場合に、各回転リール23の中段の図柄上に伸びる有効ライン37を「中央有効ライン37M」とし、左回転リール23Lの上段、中央回転リール23Ｍの中段、及び右回転リール23Rの下段の図柄上に伸びる有効ライン37を「上り有効ライン37U」とし、左回転リール23Lの下段、中央回転リール23Ｍの中段、及び右回転リール23Rの上段の図柄上に伸びる有効ライン37を「下り有効ライン37D」とし、左回転リール23Lの上段、中央回転リール23Ｍの中段、及び右回転リール23Rの上段の図柄上に伸びる有効ライン37を「Ｖ字有効ライン37V」とし、左回転リール23Lの下段、中央回転リール23Ｍの中段、及び右回転リール23Rの下段の図柄上に伸びる有効ライン37を「逆Ｖ字有効ライン37R」とする。
【００２０】
また、図柄表示窓31の上方には、図１に示すように、画像表示装置34（例えば、液晶ディスプレイやＣＲＴ等）が設けられている。また、上扉30における画像表示装置34の周りには、ランプ33が設けられている。また、図柄表示窓31の下方には、クレジットされたメダルの枚数や遊技の設定値を表示するための数値表示部32（例えば、７セグメント表示器等）が設けられている。ここで、クレジットとは、メダル投入口42から投入され、メダルセレクター46により正規なメダルとしてホッパー5へ移送されるメダル、または所定の入賞により払い出されるメダルを、スロットマシンS内部に電子的に貯留することである。
また、上扉30の裏面には、図２に示すように、スロットマシンSの演出を制御するための演出制御装置300と、種々のサウンドを出力するためのスピーカ35とが設けられている。
【００２１】
下扉40の上部には、図１に示すように、スロットマシンSを操作するための操作部50が設けられている。操作部50には、クレジットされたメダルを減じてメダルの投入に代えるためのベットスイッチ51、クレジットされたメダルを払い出すための精算スイッチ52、ゲームを開始させるためのスタートスイッチ53、回転リール23の回転を停止させるための３個のストップスイッチ54（左回転リール23Lに対応する「左ストップスイッチ54L」、中央回転リール23Mに対応する「中央ストップスイッチ54M」、右回転リール23Rに対応する「右ストップスイッチ54R」）が設けられている。
また、下扉40には、メダルを１枚ずつ投入するためのメダル投入口42と、スロットマシンS内部よりメダルを排出するためのメダル払い出し口41と、メダル払い出し口41から排出されたメダルを溜めておくための受け皿43とが設けられている。
【００２２】
また、下扉40の裏面には、図２に示すように、メダル投入口42から投入されたメダルを誘導しながら真贋で選別するためのメダルセレクター46と、メダルセレクター46の下方に開口し、メダル払い出し口41に連通するメダル排出部44と、種々のサウンドを出力するためのスピーカ45とが設けられている。メダルセレクター46は、メダル投入口42から投入されたメダルをホッパー5へ誘導するためのメダル通路と、メダル通路の下流まで流下したメダルを検出するための投入センサー47と、メダル通路を流下するメダルを投入センサー47に検出される前にメダル排出部44へ排除するためのブロッカー装置48とを備えている。ブロッカー装置48は、１ゲームが進行している最中や、クレジットされているメダルが上限の５０枚に達しているときに、メダル通路を流下するメダルをメダル排出部44へ排除するようになっている。
【００２３】
なお、画像表示装置34に所定の画像を表示させたり、スピーカ35,45から所定の音声を出力させたり、ランプ33を所定のパターンで点滅させたり等することにより、遊技を演出することができる。
（制御装置10）
制御装置10は、スロットマシンSを制御するためのものである。
本実施の形態では、制御装置10は、主にスロットマシンSの遊技を制御する遊技制御装置100と、遊技制御装置100からの信号を受信して、主にスロットマシンSの演出を制御する演出制御装置300とを備えている。また、遊技制御装置100及び演出制御装置300は、ＣＰＵを中心に構成され、ＲＯＭ、ＲＡＭ、Ｉ／Ｏ、乱数発生器等を備えている。
【００２４】
また、図７に示すように、遊技制御装置100の入力段には、ベットスイッチ51、精算スイッチ52、スタートスイッチ53、ストップスイッチ54、インデックスセンサー27、払出センサー7、及び投入センサー47などのパーツが接続され、遊技制御装置100の出力段には、ステッピングモータ26、払出装置6、ブロッカー装置48、及び数値表示部32などのパーツが接続されている。
また、遊技制御装置100は、ＣＰＵがＲＯＭに記憶されたプログラムを実行することにより、通常遊技制御手段110、特別遊技制御手段120、当選抽選手段130、回転制御手段140、回転位置判断手段150、停止制御手段160、入賞判定手段170、ベット数記憶手段180、支払制御手段200、操作順序判定手段230、表示図柄判定手段240などとして機能する（図７参照）。
【００２５】
また、図７に示すように、演出制御装置300の出力段には、ランプ33、画像表示装置34、及びスピーカ35,45などのパーツが接続されている。
また、演出制御装置は、ＣＰＵがＲＯＭに記憶されたプログラムを実行することにより、画像データ記憶手段310、画像表示制御手段320、音声データ記憶手段330、音声出力制御手段340、ランプ点滅制御手段350、操作順序報知抽選手段360などとして機能する（図７参照）。
次に、遊技制御装置100が備える各手段について説明する。
（ベット数記憶手段180）
ベット数記憶手段180は、ベットされたメダルの枚数（以下「ベット数」という）を記憶するためのものである。具体的には、ベット数記憶手段180は、メダル投入口42からメダルが投入されて、投入センサー47がメダルを検出すると、ベット数に「１」を加算する更新を行う。また、ベット数記憶手段180のベット数には、上限が設定されている。本実施の形態では、ベット数記憶手段180のベット数の上限は「３」に設定されている。
【００２６】
また、ベット数記憶手段180のベット数が「３」まで加算されると、すべての有効ライン37が有効化される。
（通常遊技制御手段110）
通常遊技制御手段110は、通常遊技を行わせるためのものである。
ここで、本実施の形態における通常遊技について説明する。
ベット数記憶手段180の記憶するベット数が「３」である場合に、スタートスイッチ53が操作されると、リールユニット22の各ステッピングモータ26の駆動により各回転リール23が回転を開始する。
【００２７】
その後、ストップスイッチ54が操作されると、対応する回転リール23の回転が停止する。そして、すべての回転リール23の回転が停止したときに、当選役の図柄の組み合わせが有効ライン37上に揃うように各回転リール23が停止すると、該当選役の入賞となって遊技者に所定の利益が付与される。
ここで、有効ライン37上に図柄の組み合わせが揃うと入賞となる当選役、及び当該図柄を、図６に示した。本実施の形態では、当選役には、入賞により特別遊技（ビッグボーナス）が開始される「赤セブン当選役」及び「青セブン当選役」と、入賞により特別遊技（レギュラーボーナス）が開始される「ＢＡＲ当選役」と、入賞によりメダルを新たにベットすることなく再度１ゲームを行うことが可能な再遊技となる「第１リプレイ当選役」、「第２リプレイ当選役」及び「第３リプレイ当選役」と、入賞により有効ライン１本につきメダル１０枚が支払われる「ベル当選役」と、入賞により有効ライン１本につきメダル１枚が支払われる「チェリー当選役」及び「スター当選役」と、入賞により有効ライン１本につきメダル６枚が支払われる「第１スイカ当選役」ないし「第８スイカ当選役」とがある。
【００２８】
ここで、回転リール23の停止制御は、滑りコマ数「０」ないし「４」の範囲で回転リール23を停止基準位置に停止させる（後述する停止制御手段160を参照）。また、図４に示すように、「ベル」の図柄は、左回転リール23L及び右回転リール23Rにおいては６図柄置きに配置され、中央回転リール23Mにおいては２または３図柄置きに配置されている。これにより、どのような回転リール23の回転位置でストップスイッチ54を操作しても、有効ライン37上に「ベル」の図柄を引き込む停止制御が可能である。
そこで、本実施の形態では、「ベル当選役」を、ストップスイッチ54の操作時における回転リール23の回転位置によらずに、有効ライン37上に図柄の組み合わせを揃い得る当選役（以下「第一種当選役」という。）とする。換言すると、「ベル当選役」は、当選抽選手段130の抽選で当選した場合に、任意のタイミングでストップスイッチ54を操作しても有効ライン37上に「ベル」の図柄が引き込まれるため、「ベル」の図柄を目押ししなくても入賞させることができる。
【００２９】
また、左回転リール23L及び右回転リール23Rにおいて、「スイカ」の図柄同士が７図柄以上離れている箇所があり、「花スイカ」の図柄同士が７図柄以上離れている箇所がある。また、中央回転リール23Mにおいて、「スイカ」の図柄同士が５図柄以上離れている箇所があり、「花スイカ」の図柄同士が５図柄以上離れている箇所がある。これにより、「第１スイカ当選役」ないし「第８スイカ当選役」については、ストップスイッチ54を操作した際の回転リール23の回転位置によって、有効ライン37上に当選役の図柄（「スイカ」または「花スイカ」の図柄）を引き込む停止制御を行うことが可能な場合と、不可能な場合とがある。
【００３０】
そこで、本実施の形態では、「第１スイカ当選役」ないし「第８スイカ当選役」を、ストップスイッチ54の操作時における回転リール23の回転位置によって、有効ライン37上に図柄の組み合わせを揃い得るか否かが異なる当選役（以下「第二種当選役」という。）とする。換言すると、「第１スイカ当選役」ないし「第８スイカ当選役」は、当選抽選手段130の抽選で当選した場合に、ストップスイッチ54を操作したタイミングによって有効ライン37上に当選役の図柄（「スイカ」または「花スイカ」の図柄）を引き込めないことがあるため、確実に入賞させるためには当選役の図柄を目押しする必要がある。
（特別遊技制御手段120）
特別遊技制御手段120は、当選抽選手段130の抽選結果に基づいて、遊技者に有利な特別遊技を行わせるためのものである。本実施の形態では、特別遊技として、ビッグボーナス（以下「ＢＢ」という。）と、レギュラーボーナス（以下「ＲＢ」という。）とを実行可能である。
【００３１】
具体的には、通常遊技において「７（赤色）」の図柄が有効ライン37上に３個揃うと、ＢＢに移行される。そして、ＢＢ中に４６５枚を超えるメダルの支払いが行われると、ＢＢを終了して通常遊技に移行する。
また、通常遊技において「ＢＡＲ」の図柄が有効ライン37上に３個揃うと、ＲＢに移行される。そして、ＲＢ中に当選役に８回入賞する、またはＲＢ中に１２ゲーム行うと、ＲＢを終了して通常遊技に移行する。
なお、ＢＢ中またはＲＢ中に当選し得る当選役は、ベル当選役、チェリー当選役、スター当選役、第１スイカ当選役ないし第８スイカ当選役である。
【００３２】
（当選抽選手段130）
当選抽選手段130は、複数の当選役のいずれに当選かまたはハズレかの抽選を行うためのものである。
本実施の形態では、当選抽選手段130の抽選結果には、「ベル当選役」の当選となる「ベル当選」と、「チェリー当選役」の当選となる「チェリー当選」と、「スター当選役」の当選となる「スター当選」と、「赤セブン当選役」の当選となる「赤セブン当選」と、「青セブン当選役」の当選となる「青セブン当選」と、「ＢＡＲ当選役」の当選となる「ＢＡＲ当選」と、「第１リプレイ当選役」の当選となる「第１リプレイ当選」と、「第２リプレイ当選役」の当選となる「第２リプレイ当選」と、「第３リプレイ当選役」の当選となる「第３リプレイ当選」と、いずれの当選役にも入賞不可能となる「ハズレ」とがある。
【００３３】
さらに、本実施の形態では、当選抽選手段130の抽選において、１つの第一種当選役及び異なる複数の第二種当選役に重複して当選すること（以下「重複当選」という。）がある。重複当選する抽選結果には、図７に示すように、「第１左押し重複当選」と、「第２左押し重複当選」と、「第３左押し重複当選」と、「第４左押し重複当選」と、「第１中押し重複当選」と、「第２中押し重複当選」と、「第３中押し重複当選」と、「第４中押し重複当選」と、「第１右押し重複当選」と、「第２右押し重複当選」と、「第３右押し重複当選」と、「第４右押し重複当選」とがある。
ここで、これらの重複当選のいずれかとなった場合に、１個目の回転リール23が回転を停止するとともに、有効ライン37上に「スイカ」または「花スイカ」の図柄の一方を表示したとする。そして、遊技者は、残りの回転リール23の回転を停止させる際に、「スイカ」または「花スイカ」のいずれの図柄を目押しすれば当選役に入賞するか、その旨の報知がなければ分からない。
【００３４】
また、遊技制御装置100のＲＯＭには、乱数発生器の発生させる各乱数について、いずれの当選役に当選かまたはハズレかを割り振ったテーブルが格納されている。本実施の形態では、通常遊技用の当選判定テーブル、ボーナス当選フラグ保有時の通常遊技用の当選判定テーブル、ＢＢ用の当選判定テーブル、ＲＢ用の当選判定テーブル等がＲＯＭに格納されている。これらの当選判定テーブルには、上述した抽選結果のいずれかに対応する領域が割り振られている。
そして、乱数発生器の発生する乱数から抽出した抽出乱数データを、遊技状態などに応じて選択した当選判定テーブルにおける当選役の当選領域と対比して、抽出乱数データがいずれかの当選領域に属する場合には当該当選領域に対応する当選を決定し、当該抽出乱数データがいずれの当選領域にも属さない場合には、「ハズレ」の決定をする。
【００３５】
なお、この抽選で当選すると、当該当選に対応した当選フラグが遊技制御装置100のＲＡＭの所定領域に設定される。「当選フラグ」は、当選役の当選について関連づけされた変数であり、制御装置10に当選抽選手段130の抽選結果を記憶させるためのものである。本実施の形態には、上述した各当選に対応する当選フラグ（例えば、「赤セブン当選」に対応する「赤セブン当選フラグ」など）がある。また、これらの当選フラグは、「小役当選フラグ」と「ボーナス当選フラグ」とに分類される。
「ボーナス当選フラグ」は、遊技制御装置100のＲＡＭの所定領域に設定された場合に、当該当選フラグに係る当選役の図柄の組み合わせが有効ライン37上に表示されないときに、消去されずに次のゲームに持ち越される当選フラグを意味する。本実施の形態では、「赤セブン当選」に対応した「赤セブン当選フラグ」、「青セブン当選」に対応した「青セブン当選フラグ」、及び「ＢＡＲ当選」に対応した「ＢＡＲ当選フラグ」が、ボーナス当選フラグである。
【００３６】
「小役当選フラグ」は、遊技制御装置100のＲＡＭの所定領域に設定された場合に、当該当選フラグに係る当選役の図柄の組み合わせが有効ライン37上に表示されないときに、次のゲームが開始される前に消去される当選フラグを意味する。本実施の形態では、「赤セブン当選フラグ」、「青セブン当選フラグ」及び「ＢＡＲ当選フラグ」を除いた他の当選フラグが、小役当選フラグである。
また、抽選で「第１左押し重複当選」ないし「第４左押し重複当選」、「第１中押し重複当選」ないし「第４中押し重複当選」、「第１右押し重複当選」ないし「第４右押し重複当選」の中のいずれかとなった場合には、ベル当選役の入賞する押し順を示す「押し順フラグ」が遊技制御装置100のＲＡＭの所定領域に設定される。具体的には、「第１左押し重複当選」ないし「第４左押し重複当選」については「左押しフラグ」が、「第１中押し重複当選」ないし「第４中押し重複当選」については「中押しフラグ」が、「第１右押し重複当選」ないし「第４右押し重複当選」については「右押しフラグ」が、遊技制御装置100のＲＡＭの所定領域に設定される。
【００３７】
なお、これらの重複当選において当選となる２つの第二種当選役は、ＲＡＭに設定された押し順フラグに対応しないストップスイッチ54が最初に操作された場合に、対応する回転リール23が「スイカ」または「花スイカ」の一方の図柄を有効ライン37上に表示するように停止したときには、他方の図柄を含む第二種当選役の図柄の組み合わせが有効ライン37上に揃わないような組み合わせになっている。
（回転制御手段140）
回転制御手段140は、スタートスイッチ53の操作を契機に各回転リール23の回転を開始させるとともに、各回転リール23を一定の回転速度で回転させるためのものである。
【００３８】
具体的には、回転制御手段140は、ベット数記憶手段180の記憶するベット数が「３」である場合において、スタートスイッチ53の操作を契機に、各ステッピングモータ26の回転駆動を開始させて、各回転リール23の回転を開始させる。また、各回転リール23の回転が一定の回転速度に達するまで加速するように、各ステッピングモータ26の回転駆動を制御する。そして、各回転リール23の回転が一定の回転速度まで加速すると、各回転リール23が一定の回転速度を保って定常回転するように、各ステッピングモータ26の回転駆動を制御するようになっている。
（回転位置判断手段150）
回転位置判断手段150は、各回転リール23の回転位置を特定するためのものである。
【００３９】
具体的には、各回転リール23が一定の回転速度まで回転を加速して定常回転になったことを契機に、各インデックスセンサー27によるインデックスの検出を開始する。そして、インデックスセンサー27がインデックスを検出したことを契機に、ステッピングモータ26のパルス数をカウントするとともに、このパルス数に基づいて対応する回転リール23の回転位置を特定する。なお、カウントしたパルス数は、インデックスを検出する度にリセットされ、あらたにパルス数がカウントされる。
また、各回転リール23に２１個ずつ付された図柄には、インデックスセンサー27がインデックスを検出した時の回転位置を基準にした図柄番号が割り振られている。具体的には、インデックスセンサー27がインデックスを検出したときに第一有効ライン37A上にある図柄から、順次「００」〜「２０」の図柄番号が割り振られている。また、それぞれの図柄番号に対応する図柄の種類を各回転リール23毎に記憶している。そして、回転リール23の回転位置、すなわちパルス数に基づいて、第一有効ライン37A上にある図柄の図柄番号を特定し、この図柄番号に基づいて図柄の種類を特定するようになっている。
【００４０】
（停止制御手段160）
停止制御手段160は、ストップスイッチ54の操作を契機に、対応する回転リール23の回転位置及び当選抽選手段130の抽選結果に基づいて、当該回転リール23の停止制御を行うためのものである。
本実施の形態では、各回転リール23が定常回転するとともに、すべてのインデックスセンサー27がインデックスを検出したことを契機に、停止制御手段160による回転リール23の停止制御が可能になる。
ここで、ストップスイッチ54が操作されてから、対応する回転リール23がいずれかの停止基準位置に停止するまでの間に、図柄表示窓31を通過する停止基準位置の数を「滑りコマ数」という。例えば、滑りコマ数「０」は、操作されたストップスイッチ54に対応する回転リール23を、当該操作から１番目に図柄表示窓31に表示される停止基準位置に停止させることを意味する。また、滑りコマ数「１」は、操作されたストップスイッチ54に対応する回転リール23を、当該操作から１番目に図柄表示窓31に表示される停止基準位置を通過させて、２番目に図柄表示窓31に表示される停止基準位置に停止させることを意味する。
【００４１】
また、停止制御手段160は、当選抽選手段130の抽選結果に基づいて、滑りコマ数「０」ないし「４」の範囲で回転リール23を停止基準位置に停止させるようになっている。
また、停止制御手段160は、大別すると、（１）停止テーブル記憶手段、（２）停止テーブル選択手段、（３）回転リール停止手段、を有している。なお、停止制御手段160としては、上記した（１）ないし（３）に限定されるものではない。
（停止テーブル記憶手段）
停止テーブル記憶手段は、複数の停止テーブルを記憶するためのものである。
停止テーブルは、ストップスイッチ54が操作されたときの回転リール23の回転位置に基づき、回転リール23が停止基準位置に停止するまでの滑りコマ数を、回転リール23毎にテーブル上に規定したものである。
【００４２】
本実施の形態では、それぞれの当選フラグに対応した停止テーブル（例えば、「赤セブン当選」に対応する「赤セブン停止テーブル」など）が、遊技制御装置100のＲＯＭに記憶されている。当選フラグに対応する停止テーブルは、当該当選フラグに係る当選役が入賞し得るように且つその他の当選役が入賞しないように、各回転リール23の回転停止までの滑りコマ数が規定されている。
「第１左押し停止テーブル」、「第２左押し停止テーブル」、「第３左押し停止テーブル」及び「第４左押し停止テーブル」は、最初に左ストップスイッチ54Lが操作された場合には、第一種当選役（ベル当選役）に係る図柄の組み合わせが有効ライン37上に揃うように、且つこれら以外の当選役に係る図柄の組み合わせが有効ライン37上に揃わないように、各回転リール23の回転停止までの滑りコマ数が規定されている。また、これらの停止テーブルは、最初に中央ストップスイッチ54Mまたは右ストップスイッチ54Rが操作された場合には、重複当選した第二種当選役（第１スイカ当選役ないし第８スイカ当選役のうちで重複当選した当選役）のいずれかの図柄の組み合わせが有効ライン37上に揃い得るように、且つこれら以外の当選役に係る図柄の組み合わせが有効ライン37上に揃わないように、各回転リール23の回転停止までの滑りコマ数が規定されている。
【００４３】
例えば、「第１左押し停止テーブル」は、最初に左ストップスイッチ54Lが操作された場合には「ベル」の図柄が有効ライン37上に揃うように、且つこれら以外の当選役に係る図柄の組み合わせが有効ライン37上に揃わないように、各回転リール23の回転停止までの滑りコマ数が規定されている。また、「第１左押し停止テーブル」は、最初に中央ストップスイッチ54Mまたは右ストップスイッチ54Rが操作された場合には「第１スイカ当選役」または「第２スイカ当選役」に係る図柄の組み合わせが有効ライン37上に揃い得るように、且つこれら以外の当選役に係る図柄の組み合わせが有効ライン37上に揃わないように、各回転リール23の回転停止までの滑りコマ数が規定されている。
【００４４】
「第１中押し停止テーブル」、「第２中押し停止テーブル」、「第３中押し停止テーブル」及び「第４中押し停止テーブル」は、最初に中央ストップスイッチ54Mが操作された場合には、第一種当選役（ベル当選役）に係る図柄の組み合わせが有効ライン37上に揃うように、且つこれら以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは右ストップスイッチ54Rが操作された場合には、重複当選した第二種当選役（第１スイカ当選役ないし第８スイカ当選役のうちで重複当選した当選役）のいずれかの図柄の組み合わせが有効ライン37上に揃い得るように、且つこれら以外の当選役に係る図柄の組み合わせが有効ライン37上に揃わないように、各回転リール23の回転停止までの滑りコマ数が規定されている。
【００４５】
「第１右押し停止テーブル」、「第２右押し停止テーブル」、「第３右押し停止テーブル」及び「第４右押し停止テーブル」は、最初に左ストップスイッチ54Lが操作された場合には、第一種当選役（ベル当選役）に係る図柄の組み合わせが有効ライン37上に揃うように、且つこれら以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは中央ストップスイッチ54Mが操作された場合には、重複当選した第二種当選役（第１スイカ当選役ないし第８スイカ当選役のうちで重複当選した当選役）のいずれかの図柄の組み合わせが有効ライン37上に揃い得るように、且つこれら以外の当選役に係る図柄の組み合わせが有効ライン37上に揃わないように、各回転リール23の回転停止までの滑りコマ数が規定されている。
【００４６】
また、遊技制御装置100のＲＡＭにいずれの当選フラグも有さない場合に用いるハズレ停止テーブルが遊技制御装置100のＲＯＭに記憶されている。「ハズレ停止テーブル」は、いずれの当選役の図柄の組み合わせも有効ライン37上に揃わないように、各回転リール23の回転停止までの滑りコマ数が規定されている。
（停止テーブル選択手段）
停止テーブル選択手段は、当選抽選手段130の抽選結果に応じて、複数ある停止テーブルのいずれかを選択するものである。本実施の形態では、停止テーブル選択手段は、有している当選フラグに対応する停止テーブルを、停止テーブル記憶手段から１つ選択するようになっている。
【００４７】
（回転リール停止手段）
回転リール停止手段は、操作されたストップスイッチ54に対応する回転リール23について当該操作時の回転位置に応じて、停止テーブル選択手段により読み出された停止テーブルから滑りコマ数を取得する。そして、取得した滑りコマ数分の停止基準位置を通過させてから最初に図柄表示窓31に表示される停止基準位置に回転リール23が停止するように、ステッピングモータ26の回転駆動を停止する。
（操作順序判定手段230）
操作順序判定手段230は、当選抽選手段130の抽選で重複当選した場合において、複数個のストップスイッチ54について現実に操作された操作順序が、操作前に定められた操作順序と一致するか否かを判定するためのものである。
【００４８】
本実施の形態では、操作順序判定手段230は、当選抽選手段130の抽選で「第１左押し重複当選」ないし「第４左押し重複当選」、「第１中押し重複当選」ないし「第４中押し重複当選」、及び「第１右押し重複当選」ないし「第４右押し重複当選」の中のいずれかの当選となった場合、つまり、遊技制御装置100のＲＡＭの所定領域に「押し順フラグ」を有する場合に、１個目のストップスイッチ54が操作されたことを契機に、当該「押し順フラグ」の示す操作順序に一致するか否かを判定する。
具体的には、操作順序判定手段230は、例えば、当選抽選手段130の抽選で「第１右押し重複当選」となり、遊技制御装置100のＲＡＭの所定領域に「右押しフラグ」が設定された場合に、停止制御手段160による回転リール23の停止制御が可能になった以後、１個目に右ストップスイッチ54Rが操作されたときには、「一致」と判定する。また、停止制御手段160による回転リール23の停止制御が可能になった以後、１個目に左ストップスイッチ54Lまたは中央ストップスイッチ54Mが操作されたときには、「不一致」と判定する。
【００４９】
（表示図柄判定手段240）
表示図柄判定手段240は、当選抽選手段130の抽選で重複当選した場合において、ストップスイッチ54が操作されたときに、当該回転リール23が第二種当選役または第一種当選役に係る図柄を有効ライン37上に表示させるように停止したか否かを判定するためのものである。
本実施の形態では、表示図柄判定手段240は、１個目のストップスイッチ54が操作されて操作順序判定手段230が不一致と判定したことを契機に、当該回転リール23が「スイカ」または「花スイカ」の図柄を有効ライン37上に表示させるように停止したか否かを判定する。そして、当該回転リール23が「スイカ」の図柄を有効ライン37上に表示させるように停止したと判定したときには、回転リール23に応じた「スイカ表示信号」を演出制御装置300へ送信する。または、当該回転リール23が「花スイカ」の図柄を有効ライン37上に表示させるように停止したと判定したときには、回転リール23に応じた「花スイカ表示信号」を演出制御装置300へ送信する。
【００５０】
具体的には、表示図柄判定手段240は、例えば、当選抽選手段130の抽選で「第１右押し重複当選」となった場合に、１個目に左ストップスイッチ54Lが操作されて操作順序判定手段230が不一致と判定したことを契機に、左回転リール23Lが「スイカ」または「花スイカ」の図柄を有効ライン37上に表示させるように停止したか否かを判定する。換言すると、「第１スイカ当選役」または「第８スイカ当選役」に係る図柄の組み合わせを有効ライン37上に揃い得るか否かを判定する。そして、左回転リール23Lが「スイカ」の図柄を有効ライン37上に表示させるように停止したと判定した場合には、左回転リール23L用の「スイカ表示信号」を演出制御装置300へ送信する。また、左回転リール23Lが「花スイカ」の図柄を有効ライン37上に表示させるように停止したと判定した場合には、左回転リール23L用の「花スイカ表示信号」を演出制御装置300へ送信する。
【００５１】
（入賞判定手段170）
入賞判定手段170は、すべての回転リール23の回転が停止したことを契機に、複数の当選役のいずれかに入賞か又は入賞なしかの判定を行うものである。
具体的には、入賞判定手段170は、例えば、すべての回転リール23が停止された場合において、「７（赤色）」の図柄が有効ライン37上に揃うように各回転リール23が停止されたときには、「赤セブン当選役の入賞」と判定する。
また、入賞判定手段170は、例えば、すべての回転リール23が停止された場合において、どの当選役に係る図柄の組み合わせも有効ライン37上に揃わないように各回転リール23が停止されたときには、「入賞なし」と判定する。
【００５２】
（支払制御手段200）
支払制御手段200は、入賞によりメダルが支払われる当選役について入賞判定手段170により「当選役の入賞」と判定されたことを契機に、メダルを支払う制御を行うものである。
また、メダルの支払いは、当選役に係る図柄の組み合わせの揃った有効ライン37毎に行われる。例えば、入賞判定手段170により「チェリー当選役の入賞」と判定された場合は、「チェリー当選役」に係る図柄の組み合わせが５本の有効ライン37に揃うので、「有効ライン１本につきメダル１枚」×「５本」で「５枚」のメダルを支払う制御を行う。
【００５３】
なお、「メダルを支払う制御」は、「ホッパー5にメダルを払い出させる制御」を行ってもよいし、「クレジット数を増加させる制御」を行ってもよい。本実施の形態では、支払制御手段200は、クレジット数が上限の「５０」に達する前は、クレジット数を増加させる制御を行う。また、支払制御手段200は、クレジット数が上限の「５０」に達した後は、ホッパー5にメダルを払い出させる制御を行う。
次に、演出制御装置300が備える各手段について説明する。
（操作順序報知抽選手段360）
操作順序報知抽選手段360は、当選抽選手段130の抽選でストップスイッチ54の操作順序の定めがある当選役に当選したことを契機に、ストップスイッチ54の操作順序に関する情報を報知するか又は報知しないかの抽選を行うものである。
【００５４】
具体的には、操作順序報知抽選手段360は、当選抽選手段130により「左押しフラグ」が遊技制御装置100のＲＡＭの所定領域に設定されたことを契機に、ストップスイッチ54の操作順序に関する情報のいずれを報知するか又は報知しないかの抽選（以下「報知抽選」という。）を行う。そして、この報知抽選で当選すると、「最初に左ストップスイッチ54Lを操作すること」を推奨する報知演出（左押し）を行う旨を決定する。
また、操作順序報知抽選手段360は、当選抽選手段130により「中押しフラグ」が遊技制御装置100のＲＡＭの所定領域に設定されたことを契機に、報知抽選を行う。そして、この報知抽選で当選すると、「最初に中央ストップスイッチ54Lを操作すること」を推奨する報知演出（中押し）を行う旨を決定する。
【００５５】
また、操作順序報知抽選手段360は、当選抽選手段130により「左押しフラグ」が遊技制御装置100のＲＡＭの所定領域に設定されたことを契機に、報知抽選を行う。そして、この報知抽選で当選すると、「最初に右ストップスイッチ54Lを操作すること」を推奨する報知演出（右押し）を行う旨を決定する。
なお、操作順序報知抽選手段360は、当選抽選手段130と同様に乱数を用いて抽選を行うものとし、これについての説明は省略する。
また、操作順序報知抽選手段360が、ストップスイッチ54の操作順序に関する情報を報知する報知演出の実行を決定すると、画像表示装置34が、ストップスイッチ54の操作順序に関する情報を報知する画像を表示するとともに、スピーカ35が、ストップスイッチ54の操作順序に関する情報を報知する音声を出力する。
【００５６】
（画像データ記憶手段310）
画像データ記憶手段310は、画像表示装置34に表示させる画像に関するデータ（画像データ）を記憶する。この画像データは、ＲＯＭに格納されており、必要に応じてＣＰＵに出力される。
また、画像データ記憶手段310は、「最初に左ストップスイッチ54Lを操作すること」を推奨する画像、「最初に中央ストップスイッチ54Lを操作すること」を推奨する画像、及び、「最初に右ストップスイッチ54Lを操作すること」を推奨する画像などの画像データを記憶する。
【００５７】
また、画像データ記憶手段310は、第１スイカ当選役ないし第８スイカ当選役のそれぞれについて、当選役の図柄の組み合わせを示す画像などの画像データを記憶する。
（画像表示制御手段320）
画像表示制御手段320は、画像データ記憶手段310の記憶する画像データに基づいて、画像表示装置34の画像の表示を制御するためのものである。換言すると、遊技制御装置100からの信号に基づき、画像データ記憶手段310の記憶する画像データを選択し、この画像データに従って画像表示装置34に画像を表示させるようになっている。
また、画像表示制御手段320は、操作順序報知抽選手段360の抽選結果に基づいて、画像表示装置34に画像を表示させる。具体的には、画像表示制御手段320は、例えば、操作順序報知手段360が報知演出（左押し）を行う旨を決定したことを契機に、画像データ記憶手段310から「最初に左ストップスイッチ54Lを操作すること」を推奨する画像データを選択し、この画像データに従って画像表示装置34に画像を表示させる。
【００５８】
また、画像表示制御手段320は、当選抽選手段130の抽選結果及び表示図柄判定手段240からの図柄表示信号に基づいて、画像表示装置34に画像を表示させる。具体的には、画像表示制御手段320は、例えば、当選抽選手段130の抽選で「第１右押し重複当選」になった場合において、表示図柄判定手段240から左回転リール23L用の「スイカ表示信号」が出力されたことを契機に、画像データ記憶手段310から「第１スイカ当選役」に係る図柄の組み合わせを示す画像データを選択し、この画像データに従って画像表示装置34に画像を表示させる。また、表示図柄判定手段240から左回転リール23L用の「花スイカ表示信号」が出力されたことを契機に、画像データ記憶手段310から「第８スイカ当選役」に係る図柄の組み合わせを示す画像データを選択し、この画像データに従って画像表示装置34に画像を表示させる。
【００５９】
（音声データ記憶手段330）
音声データ記憶手段330は、スピーカ35,45に出力させる音声に関するデータ（音声データ）を記憶する。この音声データは、ＲＯＭに格納されており、必要に応じてＣＰＵに出力される。
また、音声データ記憶手段330は、「最初に左ストップスイッチ54Lを操作すること」を推奨する音声、「最初に中央ストップスイッチ54Lを操作すること」を推奨する音声、及び、「最初に右ストップスイッチ54Lを操作すること」を推奨する音声などの音声データを記憶する。
【００６０】
また、音声データ記憶手段330は、第１当選役ないし第８スイカ当選役のそれぞれについて、当選役の図柄の組み合わせを有効ライン37上に揃い得る旨の音声などの音声データを記憶する。
（音声出力制御手段340）
音声出力制御手段340は、音声データ記憶手段330の記憶する音声データに基づいて、スピーカ35,45の音声の出力を制御するためのものである。換言すると、遊技制御装置100からの信号に基づき、音声データ記憶手段330の記憶する音声データを選択し、この音声データに従ってスピーカ35,45にＢＧＭや効果音を発生させるようになっている。
【００６１】
また、音声出力制御手段340は、操作順序報知抽選手段360の抽選結果に基づいて、スピーカ35,45に音声を出力させる。具体的には、音声出力制御手段340は、例えば、操作順序報知手段360が報知演出（左押し）を行う旨を決定したことを契機に、音声データ記憶手段330から「最初に左ストップスイッチ54Lを操作すること」を推奨する音声データを選択し、この音声データに従ってスピーカ35,45に音声を出力させる。
また、音声出力制御手段340は、当選抽選手段130の抽選結果及び表示図柄判定手段240からの図柄表示信号に基づいて、スピーカ35,45に音声を出力させる。具体的には、音声出力制御手段340は、例えば、当選抽選手段130の抽選で「第１右押し重複当選」になった場合において、表示図柄判定手段240から左回転リール23L用の「スイカ表示信号」が出力されたことを契機に、音声データ記憶手段330から「第１スイカ当選役」に係る図柄の組み合わせを有効ライン37上に揃い得る旨の音声データを選択し、この音声データに従ってスピーカ35,45に音声を出力させる。また、表示図柄判定手段240から左回転リール23L用の「花スイカ表示信号」が出力されたことを契機に、音声データ記憶手段330から「第８スイカ当選役」に係る図柄の組み合わせを有効ライン37上に揃い得る旨の音声データを選択し、この音声データに従ってスピーカ35,45に音声を出力させる。
【００６２】
（ランプ点滅制御手段350）
ランプ点滅制御手段350は、ランプ33の点滅を制御するためのものである。具体的には、ランプ点滅制御手段350は、遊技制御装置100からの信号に基づき、複数の点滅パターンから１つ選択し、この点滅パターンに従ってランプ33を点滅させるようになっている。
（スロットマシンSの動作）
次に、スロットマシンSにおける遊技の制御の概略について、図８に示したフローチャートを用いて説明する。この制御は、遊技制御装置100で所定時間毎に繰り返し実行される。
【００６３】
ステップ１０１において、ゲーム更新処理が行われる。具体的には、ＲＡＭの所定の領域がクリアされて、押し順フラグの消去、通常当選フラグの消去、入賞済みのボーナス当選フラグの消去、ベット数記憶手段180のベット数のクリア等がなされる。
ステップ１０２において、再遊技であるか否かの判断が行われる。そして、再遊技であると判断した場合には、ステップ１０３に進む。再遊技でないと判断した場合には、ステップ１０４に進む。
ステップ１０３において、再遊技ベット処理が行われる。具体的には、前回のゲームでベットされたメダルの枚数、つまり「３」をベット数記憶手段180のベット数に加算する更新が行われる。そして、ステップ１０５に進む。
【００６４】
ステップ１０４において、ベット処理が行われる。具体的には、投入センサー47がメダルを検出すると、ベット数記憶手段180のベット数に「１」を加算する更新が行われる。または、ベットスイッチ51が操作されると、クレジット数を減じるとともに、ベット数記憶手段180のベット数に加算する更新が行われる。そして、ステップ１０５に進む。
ステップ１０５において、スタートスイッチ53が操作されたか否かの判断が行われる。そして、スタートスイッチ53が操作されたと判断したときには、ステップ１０６に進む。スタートスイッチ53が操作されていないと判断したときには、ステップ１０５に戻る。
ステップ１０６において、３個の回転リール23の回転が開始される。そして、ステップ１０７に進む。
【００６５】
ステップ１０７において、当選抽選手段130による当選抽選処理が行われる。そして、ステップ１０８に進む。なお、当選抽選処理については、後述する。
ステップ１０８において、停止制御手段160による停止制御処理が行われる。そして、ステップ１０９に進む。なお、停止制御処理については、後述する。
ステップ１０９において、入賞判定手段170による入賞判定処理が行われる。そして、ステップ１１０に進む。
ステップ１１０において、支払制御手段200による支払制御処理が行われる。そして、ステップ１１１に進む。
【００６６】
ステップ１１１において、遊技移行処理が行われる。そして、ゲームを終了する。
次に、上述したステップ１０７の当選抽選処理について、図９に示したフローチャートを用いて説明する。
ステップ２０１において、乱数発生器の発生する乱数から１つの数値が抽出され、抽出乱数データとされる。そして、ステップ２０２に進む。
ステップ２０２において、ＲＯＭに記憶された当選判定テーブルのいずれかが、スロットマシンSの遊技状態などに応じて読み出される。そして、ステップ２０３に進む。
ステップ２０３において、当選判定処理が行われる。具体的には、抽出乱数データが当選判定テーブルと対比され、いずれの領域に含まれるか判定される。そして、ステップ２０４に進む。
【００６７】
ステップ２０４において、いずれの当選役に当選か又はハズレかが判定される。具体的には、抽出乱数データがいずれかの当選領域に含まれる場合には、この当選領域に応じた当選役の当選と判定して、ステップ２０５に進む。また、いずれの当選領域にも含まれない場合には、ハズレと判定して、ステップ２０６に進む。
ステップ２０５において、ステップ２０４の当選判定結果に応じた当選フラグが、ＲＡＭの所定領域に設定される。なお、重複当選した場合には、当選判定結果に応じた押し順フラグがＲＡＭの所定領域に設定される。そして、ステップ２０６に進む。
ステップ２０６において、ステップ２０４の当選判定結果に応じた当選判定結果信号が、遊技制御装置100から演出制御装置300へ送信される。そして、当選抽選処理を終了する。
【００６８】
次に、ステップ１０８の停止制御処理について、図１０に示したフローチャートを用いて説明する。
ステップ３０１ａにおいて、遊技制御装置100のＲＡＭの所定領域に有する当選フラグに応じた停止テーブルが、停止テーブル記憶手段から停止テーブル選択手段によって読み出される。そして、ステップ３０２ａに進む。
ステップ３０２ａにおいて、ストップスイッチ54の操作の受付を開始する。これにより、ストップスイッチ54が操作されてストップ信号が出力されると、対応する回転リール23の停止制御を行うようになる。そして、ステップ３０３ａに進む。
【００６９】
ステップ３０３ａにおいて、１個目のストップスイッチ54が操作されたか否かの判断が行われる。そして、１個目のストップスイッチ54が操作されたと判断したときには、ステップ３０４ａに進む。１個目のストップスイッチ54が操作されていないと判断したときには、ステップ３０３ａに戻る。
ステップ３０４ａにおいて、ストップスイッチ54の操作の受付を終了する。これにより、ストップスイッチ54が操作されてストップ信号が出力されても、対応する回転リール23の停止制御を行わないようになる。そして、ステップ３０５ａに進む。
ステップ３０５ａにおいて、読み出した停止テーブルを参照して、操作されたストップスイッチ54に対応する回転リール23の滑りコマ数を取得する。そして、ステップ３０６ａに進む。
【００７０】
ステップ３０６ａにおいて、取得した滑りコマ数分の停止基準位置を通過させてから最初に図柄表示窓31に表示される停止基準位置に回転リール23が停止するように、ステッピングモータ26の回転駆動を停止させる。そして、ステップ３０７ａに進む。
ステップ３０７ａにおいて、遊技制御装置100のＲＡＭの所定領域に押し順フラグを有するか否かの判定が行われる。換言すると、遊技制御装置100のＲＡＭの所定領域に左押しフラグ、中押しフラグまたは右押しフラグのいずれかを有するか否かの判定が行われる。そして、遊技制御装置100のＲＡＭの所定領域に押し順フラグを有さないと判定した場合には、ステップ３０８ａに進む。遊技制御装置100のＲＡＭの所定領域に押し順フラグを有すると判定した場合には、ステップ４０１ａに進む。
【００７１】
次に、ステップ４０１ａないしステップ４０５ａについて、図１１に示したフローチャートを用いて説明する。
ステップ４０１ａにおいて、１個目に操作されたストップスイッチ54が押し順フラグの示す操作順序と一致するか否かの判定が、操作順序判定手段230により行われる。そして、「不一致」と判定した場合には、ステップ４０２ａに進む。「一致」と判定した場合には、ステップ３０８ａに進む。
例えば、当選抽選手段130の抽選で「第１左押し重複当選」となり、ＲＡＭの所定領域に「左押しフラグ」が設定された場合に、１個目に中央ストップスイッチ54Mまたは右ストップスイッチ54Rが操作されたときには、「不一致」と判定して、ステップ４０２ａに進む。１個目に右ストップスイッチ54Rが操作されたときには、「一致」と判定して、ステップ３０８ａに進む。
【００７２】
ステップ４０２ａにおいて、回転リール23が「スイカ」の図柄を有効ライン37上に表示させるように停止したか否かの判定が、表示図柄判定手段240により行われる。そして、回転リール23が「スイカ」の図柄を有効ライン37上に表示させるように停止したと判定した場合には、ステップ４０３ａに進む。回転リール23が「スイカ」の図柄を有効ライン37上に表示させるように停止していないと判定した場合には、ステップ４０４ａに進む。
例えば、当選抽選手段130の抽選で「第１左押し重複当選」となり、ＲＡＭの所定領域に「左押しフラグ」が設定された場合に、１個目に右ストップスイッチ54Rが操作されたときに、右回転リール23Rが「スイカ」の図柄を有効ライン37上に表示させるように停止したか否かを判定する。ここで、右ストップスイッチ54Rが操作された際に、右回転リール23Rが滑りコマ数「０」ないし「４」の範囲で有効ライン37上に「スイカ」の図柄を引き込める場合には、有効ライン37上に「スイカ」の図柄を表示するように回転を停止するため、ステップ４０３ａに進むことになる。これに対し、右回転リール23Rが滑りコマ数「０」ないし「４」の範囲で有効ライン37上に「スイカ」の図柄を引き込めない場合には、有効ライン37上に「スイカ」の図柄を表示しないように回転を停止するため、ステップ４０４ａに進むことになる。
【００７３】
ステップ４０３ａにおいて、スイカ表示信号が遊技制御装置100から演出制御装置300へ送信される。そして、ステップ３０８ａに進む。
ステップ４０４ａにおいて、回転リール23が「花スイカ」の図柄を有効ライン37上に表示させるように停止したか否かの判定が、表示図柄判定手段240により行われる。そして、回転リール23が「花スイカ」の図柄を有効ライン37上に表示させるように停止したと判定した場合には、ステップ４０５ａに進む。回転リール23が「花スイカ」の図柄を有効ライン37上に表示させるように停止していないと判定した場合には、ステップ３０８ａに進む。
【００７４】
例えば、当選抽選手段130の抽選で「第１左押し重複当選」となり、ＲＡＭの所定領域に「左押しフラグ」が設定された場合に、１個目に右ストップスイッチ54Rが操作されたときに、右回転リール23Rが「花スイカ」の図柄を有効ライン37上に表示させるように停止したか否かを判定する。ここで、右ストップスイッチ54Rが操作された際に、右回転リール23Rが滑りコマ数「０」ないし「４」の範囲で有効ライン37上に「花スイカ」の図柄を引き込める場合には、有効ライン37上に「花スイカ」の図柄を表示するように回転を停止するため、ステップ４０５ａに進むことになる。これに対し、右回転リール23Rが滑りコマ数「０」ないし「４」の範囲で有効ライン37上に「花スイカ」の図柄を引き込めない場合には、有効ライン37上に「花スイカ」の図柄を表示しないように回転を停止するため、ステップ３０８ａに進むことになる。
【００７５】
ステップ４０５ａにおいて、花スイカ表示信号が遊技制御装置100から演出制御装置300へ送信される。そして、ステップ３０８ａに進む。
図１０に戻って、ステップ３０８ａにおいて、ストップスイッチ54の操作の受付を開始する。そして、ステップ３０９ａに進む。
ステップ３０９ａにおいて、２個目のストップスイッチ54が操作されたか否かの判断が行われる。そして、２個目のストップスイッチ54が操作されたと判断したときには、ステップ３１０ａに進む。２個目のストップスイッチ54が操作されていないと判断したときには、ステップ３０９ａに戻る。
【００７６】
ステップ３１０ａにおいて、ストップスイッチ54の操作の受付を終了する。そして、ステップ３１１ａに進む。
ステップ３１１ａにおいて、読み出した停止テーブルを参照して、操作されたストップスイッチ54に対応する回転リール23の滑りコマ数を取得する。そして、ステップ３１２ａに進む。
ステップ３１２ａにおいて、取得した滑りコマ数分の停止基準位置を通過させてから最初に図柄表示窓31に表示される停止基準位置に回転リール23が停止するように、ステッピングモータ26の回転駆動を停止させる。そして、ステップ３１３ａに進む。
【００７７】
ステップ３１３ａにおいて、ストップスイッチ54の操作の受付を開始する。そして、ステップ３１４ａに進む。
ステップ３１４ａにおいて、３個目のストップスイッチ54が操作されたか否かの判断が行われる。そして、３個目のストップスイッチ54が操作されたと判断したときには、ステップ３１５ａに進む。３個目のストップスイッチ54が操作されていないと判断したときには、ステップ３１４ａに戻る。
ステップ３１５ａにおいて、ストップスイッチ54の操作の受付を終了する。そして、ステップ３１６ａに進む。
【００７８】
ステップ３１６ａにおいて、読み出した停止テーブルを参照して、操作されたストップスイッチ54に対応する回転リール23の滑りコマ数を取得する。そして、ステップ３１７ａに進む。
ステップ３１７ａにおいて、取得した滑りコマ数分の停止基準位置を通過させてから最初に図柄表示窓31に表示される停止基準位置に回転リール23が停止するように、ステッピングモータ26の回転駆動を停止させる。そして、ステップ３１８ａに進む。
ステップ３１８ａにおいて、第３回転停止信号が遊技制御装置100から演出制御装置300へ送信される。そして、停止制御処理を終了する。
【００７９】
次に、スロットマシンSにおける演出の制御の概略について、図１２に示したフローチャートを用いて説明する。この制御は、演出制御装置300で所定時間毎に繰り返し実行される。
ステップ６０１ａにおいて、遊技制御装置100から当選判定結果信号を受信したか否かの判断が行われる。そして、当選判定結果信号を受信したと判断した場合には、ステップ６０２ａに進む。当選判定結果信号を受信していないと判断した場合には、ステップ６０８ａに進む。
ステップ６０２ａにおいて、当選判定結果信号に基づき、ストップスイッチ54の操作順序の定めがあるか否かの判定が行われる。換言すると、抽選結果がいずれかの重複当選であるか否かの判断が行われる。そして、いずれかの重複当選であると判断した場合には、ステップ６０３ａに進む。いずれの重複当選でもないと判断した場合には、本制御を終了する。
【００８０】
ステップ６０３ａにおいて、操作順序報知抽選手段360による報知抽選が行われる。そして、ステップ６０４ａに進む。
ステップ６０４ａにおいて、報知抽選で当選したか否かの判断が行われる。そして、報知抽選で当選したと判断した場合には、ステップ６０５ａに進む。報知抽選でハズレたと判断した場合には、本制御を終了する。
ステップ６０５ａにおいて、操作順序報知抽選手段360により抽選結果に応じた報知演出の実行が決定される。そして、ステップ６０６ａに進む。
ステップ６０６ａにおいて、ストップスイッチ54の操作順序に関する情報を報知する画像を、画像表示装置34に表示させる。具体的には、「最初に＊＊ストップスイッチ54を操作すること」を推奨する画像を、画像表示装置34に表示させる。そして、ステップ６０７ａに進む。
【００８１】
ステップ６０７ａにおいて、ストップスイッチ54の操作順序に関する情報を報知する音声を、スピーカ35,45から出力させる。具体的には、「最初に＊＊ストップスイッチ54を操作すること」を推奨する音声を、スピーカ35,45から出力させる。そして、本制御を終了する。
ステップ６０８ａにおいて、遊技制御装置100からスイカ表示信号を受信したか否かの判断が行われる。そして、スイカ表示信号を受信したと判断した場合には、ステップ６１０ａに進む。スイカ表示信号を受信していないと判断した場合には、ステップ６０９ａに進む。
【００８２】
ステップ６０９ａにおいて、遊技制御装置100から花スイカ表示信号を受信したか否かの判断が行われる。そして、花スイカ表示信号を受信したと判断した場合には、ステップ６１０ａに進む。花スイカ表示信号を受信していないと判断した場合には、ステップ６１２ａに進む。
ステップ６１０ａにおいて、有効ライン37上に揃い得る当選役の図柄の組み合わせを示す画像を、画像表示装置34に表示させる。具体的には、「第＊＊スイカ当選役」に係る図柄の組み合わせを示す画像を、画像表示装置34に表示させる。そして、ステップ６１１ａに進む。
【００８３】
ステップ６１１ａにおいて、有効ライン37上に図柄の組み合わせを揃い得る当選役を報知する音声を、スピーカ35,45から出力させる。具体的には、「第＊＊スイカ当選役」に係る図柄の組み合わせを有効ライン37上に揃い得る旨の音声を、スピーカ35,45から出力させる。そして、本制御を終了する。
ステップ６１２ａにおいて、遊技制御装置100から第３回転停止信号を受信したか否かの判断が行われる。そして、第３回転停止信号を受信したと判断した場合には、ステップ６１３ａに進む。第３回転停止信号を受信していないと判断した場合には、本制御を終了する。
【００８４】
ステップ６１３ａにおいて、通常の演出画像を画像表示装置34に表示させる。そして、本制御を終了する。
以上のように、第１の実施の形態によれば、当選抽選手段130の抽選で重複当選した場合に、ＲＡＭに設定された押し順フラグに対応するストップスイッチ54を最初に操作すると、「ベル当選役」に係る図柄の組み合わせを有効ライン37上に揃えることができる。これに対し、ＲＡＭに設定された押し順フラグに対応しないストップスイッチ54を最初に操作すると、「ベル当選役」に係る図柄の組み合わせを有効ライン37上に揃えることができなくなる。このとき、「スイカ」または「花スイカ」の図柄を有効ライン37上に表示するように回転リール23を停止させることができたときには、重複当選した第二種当選役の中で有効ライン37上に表示された「スイカ」または「花スイカ」を含む当選役の図柄の組み合わせを有効ライン37上に揃えることができ、その旨を報知するようになっている。これにより、ＲＡＭに設定された押し順フラグに対応しないストップスイッチ54を最初に操作して、「ベル当選役」に入賞させることができなくなっても、重複当選した第二種当選役に入賞させることができ、遊技者がメダルを獲得する機会を逸することを防止できる。
【００８５】
（第２の実施の形態）
第２の実施の形態では、当選抽選手段130の抽選で重複当選した場合に、所定の順序と異なるストップスイッチ54の操作を契機に当該回転リール23が回転を停止するとともに、第二種当選役に係る図柄を有効ライン37上に表示させたとき（すべての回転リール23が回転を停止したときを除く）に、異なる複数の第二種当選役に係る図柄の組み合わせを有効ライン37上に同時に揃えさせるためにストップスイッチ54の操作時に狙わせる回転リール23の図柄についての報知を実行可能にした。
また、第２の実施の形態は、図柄表示窓31に中央有効ライン37Mが設けられていないこと、各回転リール23のリールテープ28の図柄配列が異なること（図１３参照）を除き、第１の実施の形態に係るハードウエアの構成と同様である。
【００８６】
そこで、第２の実施の形態では、第１の実施の形態との相違点を中心に説明する。
（当選抽選手段130）
本実施の形態では、当選役には、「赤セブン当選役」と、「青セブン当選役」と、「ＢＡＲ当選役」と、「第１リプレイ当選役」と、「第３リプレイ当選役」と、「ベル当選役」と、「チェリー当選役」と、「スター当選役」と、「第１スイカ当選役」と、「第６スイカ当選役」とがある。
本実施の形態では、図１４に示すように、さらに「赤７・ベル・赤７当選役」ないし「ＢＡＲ・ベル・花スイカ当選役」がある。これらの当選役は、入賞により有効ライン１本につきメダル６枚が支払われる。
【００８７】
ここで、左回転リール23L及び右回転リール23Rには、「７（赤色）」の図柄がそれぞれ１個ずつ付されている。したがって、ストップスイッチ54を操作した際の回転リール23の回転位置によって、有効ライン37上に「７（赤色）」の図柄を引き込む停止制御を行うことが可能な場合と、不可能な場合とがある。また、「７（青色）」及び「ＢＡＲ」の図柄についても同様である。
そこで、本実施の形態では、図１４に示した「赤７・ベル・赤７当選役」ないし「ＢＡＲ・ベル・花スイカ当選役」を、ストップスイッチ54の操作時における回転リール23の回転位置によって、有効ライン37上に図柄の組み合わせを揃い得るか否かが異なる当選役（以下「第二種当選役」という。）とする。換言すると、「赤７・ベル・赤７当選役」ないし「ＢＡＲ・ベル・花スイカ当選役」は、当選抽選手段130の抽選で当選した場合に、ストップスイッチ54を操作したタイミングによって有効ライン37上に当選役の図柄（「７（赤色）」、「７（青色）」または「ＢＡＲ」の図柄）を引き込めないことがあるため、確実に入賞させるためには当選役の図柄を目押しする必要がある。
【００８８】
また、本実施の形態では、当選抽選手段130の抽選結果には、「ベル当選」と、「チェリー当選」と、「スター当選」と、「赤セブン当選」と、「青セブン当選」と、「ＢＡＲ当選」と、「第１リプレイ当選」と、「第２リプレイ当選」と、「第３リプレイ当選」と、「第１スイカ当選役」の当選となる「第１スイカ当選」と、「第６スイカ当選役」の当選となる「第６スイカ当選」とがある。
さらに、本実施の形態では、当選抽選手段130の抽選において、１つの第一種当選役及び異なる複数の第二種当選役に重複して当選することがある。重複当選する抽選結果には、図１５及び図１６に示すように、「中押し（赤７）重複当選」と、「中押し（青７）重複当選」と、「中押し（ＢＡＲ）重複当選」と、「左押し（赤７×２）重複当選」と、「左押し（青７赤７）重複当選」と、「左押し（ＢＡＲ赤７）重複当選」と、「左押し（赤７青７）重複当選」と、「左押し（青７×２）重複当選」と、「左押し（ＢＡＲ青７）重複当選」と、「左押し（赤７ＢＡＲ）重複当選」と、「左押し（青７ＢＡＲ）重複当選」と、「左押し（ＢＡＲ×２）重複当選」と、「右押し（赤７×２）重複当選」と、「右押し（青７赤７）重複当選」と、「右押し（ＢＡＲ赤７）重複当選」と、「右押し（赤７青７）重複当選」と、「右押し（青７×２）重複当選」と、「右押し（ＢＡＲ青７）重複当選」と、「右押し（赤７ＢＡＲ）重複当選」と、「右押し（青７ＢＡＲ）重複当選」と、「右押し（ＢＡＲ×２）重複当選」とがある。
【００８９】
ここで、これらの重複当選のいずれかとなった場合に、左回転リール23Lまたは右回転リール23Rの一方が回転を停止するとともに、有効ライン37上に「７（赤色）」、「７（青色）」または「ＢＡＲ」の図柄のいずれかを表示したとする。そして、遊技者は、他方の回転リール23の回転を停止させる際に、「７（赤色）」、「７（青色）」または「ＢＡＲ」のいずれの図柄を目押しすれば当選役に入賞するか、その旨の報知がなければ分からない。
なお、抽選で当選すると、当該当選に対応した当選フラグが遊技制御装置100のＲＡＭの所定領域に設定される。また、抽選で「中押し（赤７）重複当選」ないし「中押し（ＢＡＲ）重複当選」のいずれかとなった場合には、「中押しフラグ」が遊技制御装置100のＲＡＭの所定領域に設定される。また、抽選で「左押し（赤７×２）重複当選」ないし「左押し（ＢＡＲ×２）重複当選」のいずれかとなった場合には、「左押しフラグ」が遊技制御装置100のＲＡＭの所定領域に設定される。また、抽選で「右押し（赤７×２）重複当選」ないし「右押し（ＢＡＲ×２）重複当選」のいずれかとなった場合には、「右押しフラグ」が遊技制御装置100のＲＡＭの所定領域に設定される。
【００９０】
（停止テーブル記憶手段）
本実施の形態では、それぞれの当選フラグに対応した停止テーブル（例えば、「赤セブン当選」に対応する「赤セブン停止テーブル」など）が、遊技制御装置100のＲＯＭに記憶されている。
「中押し（赤７）停止テーブル」、「中押し（青７）停止テーブル」及び「中押し（ＢＡＲ）停止テーブル」は、最初に中央ストップスイッチ54Mが操作された場合には、第一種当選役（ベル当選役）に係る図柄の組み合わせが異なる２本の有効ライン37上に揃うように、且つこれ以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは右ストップスイッチ54Rが操作された場合には、重複当選した第一種当選役（ベル当選役）及び第二種当選役（図１５に示す（Ａ）の当選役は除く。）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【００９１】
「左押し（赤７×２）停止テーブル」、「左押し（青７赤７）停止テーブル」、「左押し（ＢＡＲ赤７）停止テーブル」、「左押し（赤７青７）停止テーブル」、「左押し（青７×２）停止テーブル」、「左押し（ＢＡＲ青７）停止テーブル」、「左押し（赤７ＢＡＲ）停止テーブル」、「左押し（青７ＢＡＲ）停止テーブル」及び「左押し（ＢＡＲ×２）停止テーブル」は、最初に左ストップスイッチ54Lが操作された場合には、第一種当選役（ベル当選役）に係る図柄の組み合わせが異なる２本の有効ライン37上に揃うように、且つこれ以外の当選役に係る図柄の組み合わせが有効ライン37上に揃わないように、各回転リール23の回転停止までの滑りコマ数が規定されている。また、これらの停止テーブルは、最初に中央ストップスイッチ54Mまたは右ストップスイッチ54Rが操作された場合には、重複当選した第一種当選役（ベル当選役）及び第二種当選役（図１６に示す（Ａ）の当選役は除く。）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【００９２】
「右押し（赤７×２）停止テーブル」、「右押し（青７赤７）停止テーブル」、「右押し（ＢＡＲ赤７）停止テーブル」、「右押し（赤７青７）停止テーブル」、「右押し（青７×２）停止テーブル」、「右押し（ＢＡＲ青７）停止テーブル」、「右押し（赤７ＢＡＲ）停止テーブル」、「右押し（青７ＢＡＲ）停止テーブル」及び「右押し（ＢＡＲ×２）停止テーブル」は、最初に右ストップスイッチ54Rが操作された場合には、第一種当選役に係る図柄の組み合わせが異なる２本の有効ライン37上に揃うように、且つこれ以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは中央ストップスイッチ54Mが操作された場合には、重複当選した第一種当選役（ベル当選役）及び第二種当選役（図１６に示す（Ａ）の当選役は除く。）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【００９３】
なお、「中押し（赤７）停止テーブル」ないし「中押し（ＢＡＲ）停止テーブル」、「左押し（赤７×２）停止テーブル」ないし「左押し（ＢＡＲ×２）停止テーブル」、及び、「右押し（赤７×２）停止テーブル」ないし「右押し（ＢＡＲ×２）停止テーブル」は、重複当選した当選役の中で図１５または図１６に示す（Ａ）の当選役に係る図柄の組み合わせが有効ライン37上に揃う場合には、重複当選した当選役の中で図１５または図１６に示す（Ｂ）の当選役に係る図柄の組み合わせも有効ライン37上に揃うように、各回転リール23の回転停止までの滑りコマ数が規定されている。
例えば、「中押し（赤７）停止テーブル」は、最初に左ストップスイッチ54Lが操作された場合に、左回転リール23Lの「７（赤色）」の図柄を有効ライン37上に滑りコマ数「０」ないし「４」の範囲で引き込むことができるときには、「７（赤色）」の図柄を有効ライン37上に引き込むように左回転リール23Lの回転停止までの滑りコマ数が規定されている。そして、左回転リール23Lが「７（赤色）」の図柄を有効ライン37上に表示させるように停止したときには、「赤７・ベル・赤７当選役」及び「赤７・ベル・ベル当選役」に係る図柄の組み合わせが有効ライン37上に揃い得るように、残りの回転リール23の回転停止までの滑りコマ数が規定されている。また、「中押し（赤７）停止テーブル」は、最初に右ストップスイッチ54Rが操作された場合に、右回転リール23Rの「７（赤色）」の図柄を有効ライン37上に滑りコマ数「０」ないし「４」の範囲で引き込むことができるときには、「７（赤色）」の図柄を有効ライン37上に引き込むように右回転リール23Rの回転停止までの滑りコマ数が規定されている。そして、右回転リール23Rが「７（赤色）」の図柄を有効ライン37上に表示させるように停止したとき（このとき、右回転リール23Rの「ベル」の図柄が、有効ライン37上に表示される。）には、「赤７・ベル・赤７当選役」及び「赤７・ベル・ベル当選役」に係る図柄の組み合わせが有効ライン37上に揃い得るように、残りの回転リール23の回転停止までの滑りコマ数が規定されている。
【００９４】
（操作順序判定手段230）
本実施の形態では、操作順序判定手段230は、当選抽選手段130の抽選で「中押し（赤７）重複当選」ないし「中押し（ＢＡＲ）重複当選」、「左押し（赤７×２）重複当選」ないし「左押し（ＢＡＲ×２）重複当選」、及び「右押し（赤７×２）重複当選」ないし「右押し（ＢＡＲ×２）重複当選」の中のいずれかの当選となった場合、つまり、遊技制御装置100のＲＡＭの所定領域に「押し順フラグ」を有する場合に、１個目のストップスイッチ54が操作されたことを契機に、当該「押し順フラグ」の示す操作順序に一致するか否かを判定する。
【００９５】
具体的には、操作順序判定手段230は、例えば、当選抽選手段130の抽選で「中押し（赤７）重複当選」となり、遊技制御装置100のＲＡＭの所定領域に「中押しフラグ」が設定された場合に、停止制御手段160による回転リール23の停止制御が可能になった以後、１個目に中央ストップスイッチ54Mが操作されたときには、「一致」と判定する。また、停止制御手段160による回転リール23の停止制御が可能になった以後、１個目に左ストップスイッチ54Lまたは右ストップスイッチ54Rが操作されたときには、「不一致」と判定する。
（表示図柄判定手段240）
本実施の形態では、表示図柄判定手段240は、当選抽選手段130の抽選で「中押し（赤７）重複当選」となった場合において、１個目に左ストップスイッチ54Lが操作されて操作順序判定手段230が不一致と判定したことを契機に、左回転リール23Lが「７（赤色）」の図柄を有効ライン37上に表示させるように停止したか否かを判定する。そして、左回転リール23Lが「７（赤色）」の図柄を有効ライン37上に表示させるように停止したと判定した場合には、左回転リール23L用の「赤７表示信号」を演出制御装置300へ送信する。
【００９６】
また、表示図柄判定手段240は、当選抽選手段130の抽選で「中押し（赤７）重複当選」となった場合において、１個目に右ストップスイッチ54Rが操作されて操作順序判定手段230が不一致と判定したことを契機に、右回転リール23Rが「７（赤色）」の図柄を有効ライン37上に表示させるように停止したか否かを判定する。そして、右回転リール23Rが「７（赤色）」の図柄を有効ライン37上に表示させるように停止したと判定した場合には、右回転リール23R用の「赤７表示信号」を演出制御装置300へ送信する。
なお、「中押し（青７）重複当選」となった場合については、上述した「中押し（赤７）重複当選」となった場合の説明文中の「７（赤色）」を「７（青色）」と、「赤７表示信号」を「青７表示信号」と読み替え、詳細な説明を省略する。また、「中押し（ＢＡＲ）重複当選」となった場合については、上述した「中押し（赤７）重複当選」となった場合の説明文中の「７（赤色）」を「ＢＡＲ」と、「赤７表示信号」を「ＢＡＲ表示信号」と読み替え、詳細な説明を省略する。
【００９７】
また、表示図柄判定手段240は、当選抽選手段130の抽選で「左押し（赤７×２）重複当選」、「左押し（青７赤７）重複当選」または「左押し（ＢＡＲ赤７）重複当選」となった場合において、１個目に右ストップスイッチ54Rが操作されて操作順序判定手段230が不一致と判定したことを契機に、右回転リール23Rが「７（赤色）」の図柄を有効ライン37上に表示させるように停止したか否かを判定する。そして、右回転リール23Rが「７（赤色）」の図柄を有効ライン37上に表示させるように停止したと判定した場合には、右回転リール23R用の「赤７表示信号」を演出制御装置300へ送信する。
なお、「左押し（赤７青７）重複当選」、「左押し（青７×２）重複当選」または「左押し（ＢＡＲ青７）重複当選」となった場合については、上述した「左押し（赤７×２）重複当選」、「左押し（青７赤７）重複当選」または「左押し（ＢＡＲ赤７）重複当選」となった場合の説明文中の「７（赤色）」を「７（青色）」と、「赤７表示信号」を「青７表示信号」と読み替え、詳細な説明を省略する。また、「左押し（赤７ＢＡＲ）重複当選」、「左押し（青７ＢＡＲ）重複当選」または「左押し（ＢＡＲ×２）重複当選」となった場合については、上述した「左押し（赤７×２）重複当選」、「左押し（青７赤７）重複当選」または「左押し（ＢＡＲ赤７）重複当選」となった場合の説明文中の「７（赤色）」を「ＢＡＲ」と、「赤７表示信号」を「ＢＡＲ表示信号」と読み替え、詳細な説明を省略する。
【００９８】
また、表示図柄判定手段240は、当選抽選手段130の抽選で「右押し（赤７×２）重複当選」、「右押し（赤７青７）重複当選」または「右押し（赤７ＢＡＲ）重複当選」となった場合において、１個目に左ストップスイッチ54Lが操作されて操作順序判定手段230が不一致と判定したことを契機に、左回転リール23Lが「７（赤色）」の図柄を有効ライン37上に表示させるように停止したか否かを判定する。そして、左回転リール23Lが「７（赤色）」の図柄を有効ライン37上に表示させるように停止したと判定した場合には、左回転リール23L用の「赤７表示信号」を演出制御装置300へ送信する。
なお、「右押し（青７赤７）重複当選」、「右押し（青７×２）重複当選」または「右押し（青７ＢＡＲ）重複当選」となった場合については、上述した「右押し（赤７×２）重複当選」、「右押し（赤７青７）重複当選」または「右押し（赤７ＢＡＲ）重複当選」となった場合の説明文中の「７（赤色）」を「７（青色）」と、「赤７表示信号」を「青７表示信号」と読み替え、詳細な説明を省略する。また、「右押し（ＢＡＲ赤７）重複当選」、「右押し（ＢＡＲ青７）重複当選」または「右押し（ＢＡＲ×２）重複当選」となった場合については、上述した「右押し（赤７×２）重複当選」、「右押し（赤７青７）重複当選」または「右押し（赤７ＢＡＲ）重複当選」となった場合の説明文中の「７（赤色）」を「ＢＡＲ」と、「赤７表示信号」を「ＢＡＲ表示信号」と読み替え、詳細な説明を省略する。
【００９９】
（支払制御手段200）
メダルの支払いは、当選役に係る図柄の組み合わせの揃った有効ライン37毎に行われる。例えば、入賞判定手段170により「チェリー当選役の入賞」と判定された場合は、「チェリー当選役」に係る図柄の組み合わせが４本の有効ライン37上に揃うので、「有効ライン１本につきメダル１枚」×「４本」で「４枚」のメダルを支払う制御を行う。
例えば、「ベル当選役」に係る図柄の組み合わせが１本の有効ライン37上に揃った場合には、「有効ライン１本につきメダル１０枚」×「１本」で「１０枚」のメダルを支払う制御を行う。また、「ベル当選役」に係る図柄の組み合わせが２本の有効ライン37上に揃った場合には、「有効ライン１本につきメダル１０枚」×「２本」で「２０枚」のメダルを支払う制御を行う。
【０１００】
例えば、「赤７・ベル・赤７当選役」に係る図柄の組み合わせが１本の有効ライン37上に揃い、さらに「赤７・ベル・ベル当選役」に係る図柄の組み合わせが１本の有効ライン37上に揃った場合には、「赤７・ベル・赤７当選役：メダル６枚」＋「赤７・ベル・ベル当選役：メダル６枚」で「１２枚」のメダルを支払う制御を行う。
（スロットマシンSの動作）
第２の実施の形態に係るスロットマシンSにおいて、遊技の制御の概略、及び当選抽選処理については、第１の実施の形態と同様なので、説明を省略し、ここでは停止制御処理について説明する。
【０１０１】
第２の実施の形態に係る停止制御処理は、第１の実施の形態に係る停止制御処理の内で、図１０に示したフローと共通だが、図１１に示したフローとは異なる。そこで、第１の実施の形態と共通のフローについては説明を省略し、第１の実施の形態と異なるフローについて、図１７に示したフローチャートを用いて説明する。
第２の実施の形態では、ステップ３０７ａにおいて、遊技制御装置100のＲＡＭの所定領域に押し順フラグを有すると判定した場合に、ステップ４０１ｂに進む。
ステップ４０１ｂにおいて、１個目に操作されたストップスイッチ54が押し順フラグの示す操作順序と一致するか否かの判定が、操作順序判定手段230により行われる。そして、「不一致」と判定した場合には、ステップ４０２ｂに進む。「一致」と判定した場合には、ステップ３０８ａに進む。
【０１０２】
ステップ４０２ｂにおいて、１個目に左ストップスイッチ54Lが操作されたか否かの判断が行われる。そして、１個目に左ストップスイッチ54Lが操作されたと判断した場合には、ステップ４０３ｂに進む。１個目に中央ストップスイッチ54Mまたは右ストップスイッチ54Rが操作されたと判断した場合には、ステップ４０６ｂに進む。
ステップ４０３ｂにおいて、遊技制御装置100のＲＡＭの所定領域に「中押しフラグ」を有するか否かの判断が行われる。そして、遊技制御装置100のＲＡＭの所定領域に「中押しフラグ」を有さないと判断した場合には、ステップ４０４ｂに進む。遊技制御装置100のＲＡＭの所定領域に「中押しフラグ」を有すると判断した場合には、ステップ４０５ｂに進む。
【０１０３】
ステップ４０４ｂにおいて、遊技制御装置100のＲＡＭの所定領域に「右押しフラグ」を有するか否かの判断が行われる。そして、遊技制御装置100のＲＡＭの所定領域に「右押しフラグ」を有すると判断した場合には、ステップ４０５ｂに進む。遊技制御装置100のＲＡＭの所定領域に「右押しフラグ」を有さないと判断した場合には、ステップ３０８ａに進む。
ステップ４０５ｂにおいて、表示図柄判定手段240による表示図柄判定処理が行われる。そして、ステップ３０８ａに進む。なお、表示図柄判定処理については、後述する。
ステップ４０６ｂにおいて、１個目に右ストップスイッチ54Rが操作されたか否かの判断が行われる。そして、右ストップスイッチ54Rが操作されたと判断した場合には、ステップ４０７ｂに進む。１個目に左ストップスイッチ54Lまたは中央ストップスイッチ54Mが操作されたと判断した場合には、ステップ３０８ａに進む。
【０１０４】
ステップ４０７ｂにおいて、遊技制御装置100のＲＡＭの所定領域に「中押しフラグ」を有するか否かの判断が行われる。そして、遊技制御装置100のＲＡＭの所定領域に「中押しフラグ」を有さないと判断した場合には、ステップ４０８ｂに進む。遊技制御装置100のＲＡＭの所定領域に「中押しフラグ」を有すると判断した場合には、ステップ４０９ｂに進む。
ステップ４０８ｂにおいて、遊技制御装置100のＲＡＭの所定領域に「左押しフラグ」を有するか否かの判断が行われる。そして、遊技制御装置100のＲＡＭの所定領域に「左押しフラグ」を有すると判断した場合には、ステップ４０９ｂに進む。遊技制御装置100のＲＡＭの所定領域に「左押しフラグ」を有さないと判断した場合には、ステップ３０８ａに進む。
【０１０５】
ステップ４０９ｂにおいて、表示図柄判定手段240による表示図柄判定処理が行われる。そして、ステップ３０８ａに進む。
次に、ステップ４０５ｂ及びステップ４０９ｂの表示図柄判定処理について、図１８に示したフローチャートを用いて説明する。
ステップ５０１において、回転リール23が「７（赤色）」の図柄を有効ライン37上に表示させるように停止したか否かの判定が、表示図柄判定手段240により行われる。そして、回転リール23が「７（赤色）」の図柄を有効ライン37上に表示させるように停止したと判定した場合には、ステップ５０２に進む。回転リール23が「７（赤色）」の図柄を有効ライン37上に表示させるように停止していないと判定した場合には、ステップ５０３に進む。
【０１０６】
例えば、当選抽選手段130の抽選で「中押し（赤７）重複当選」となり、ＲＡＭの所定領域に「中押しフラグ」が設定された場合に、１個目に左ストップスイッチ54Lが操作されたときに、左回転リール23Lが「７（赤色）」の図柄を有効ライン37上に表示させるように停止したか否かを判定する。ここで、左ストップスイッチ54Lが操作された際に、左回転リール23Lが滑りコマ数「０」ないし「４」の範囲で有効ライン37上に「７（赤色）」の図柄を引き込める場合には、有効ライン37上に「７（赤色）」の図柄を表示するように回転を停止するため、ステップ５０２に進むことになる。これに対し、左回転リール23Lが滑りコマ数「０」ないし「４」の範囲で有効ライン37上に「７（赤色）」の図柄を引き込めない場合には、有効ライン37上に「７（赤色）」の図柄を表示しないように回転を停止するため、ステップ５０３に進むことになる。
【０１０７】
ステップ５０２において、赤７表示信号が遊技制御装置100から演出制御装置300へ送信される。そして、表示図柄判定処理を終了する。
ステップ５０３において、回転リール23が「７（青色）」の図柄を有効ライン37上に表示させるように停止したか否かの判定が、表示図柄判定手段240により行われる。そして、回転リール23が「７（青色）」の図柄を有効ライン37上に表示させるように停止したと判定した場合には、ステップ５０４に進む。回転リール23が「７（青色）」の図柄を有効ライン37上に表示させるように停止していないと判定した場合には、ステップ５０５に進む。
【０１０８】
例えば、当選抽選手段130の抽選で「左押し(赤７青７)重複当選」となり、ＲＡＭの所定領域に「左押しフラグ」が設定された場合に、１個目に右ストップスイッチ54Rが操作されたときに、右回転リール23Rが「７（青色）」の図柄を有効ライン37上に表示させるように停止したか否かを判定する。ここで、右ストップスイッチ54Rが操作された際に、右回転リール23Rが滑りコマ数「０」ないし「４」の範囲で有効ライン37上に「７（青色）」の図柄を引き込める場合には、有効ライン37上に「７（青色）」の図柄を表示するように回転を停止するため、ステップ５０４に進むことになる。これに対し、右回転リール23Rが滑りコマ数「０」ないし「４」の範囲で有効ライン37上に「７（青色）」の図柄を引き込めない場合には、有効ライン37上に「７（青色）」の図柄を表示しないように回転を停止するため、ステップ５０５に進むことになる。
【０１０９】
ステップ５０４において、青７表示信号が遊技制御装置100から演出制御装置300へ送信される。そして、表示図柄判定処理を終了する。
ステップ５０５において、回転リール23が「ＢＡＲ」の図柄を有効ライン37上に表示させるように停止したか否かの判定が、表示図柄判定手段240により行われる。そして、回転リール23が「ＢＡＲ」の図柄を有効ライン37上に表示させるように停止したと判定した場合には、ステップ５０６に進む。回転リール23が「ＢＡＲ」の図柄を有効ライン37上に表示させるように停止していないと判定した場合には、表示図柄判定処理を終了する。
例えば、当選抽選手段130の抽選で「右押し（ＢＡＲ赤７）重複当選」となり、ＲＡＭの所定領域に「右押しフラグ」が設定された場合に、１個目に左ストップスイッチ54Lが操作されたときに、左回転リール23Lが「ＢＡＲ」の図柄を有効ライン37上に表示させるように停止したか否かを判定する。ここで、左ストップスイッチ54Lが操作された際に、左回転リール23Lが滑りコマ数「０」ないし「４」の範囲で有効ライン37上に「ＢＡＲ」の図柄を引き込める場合には、有効ライン37上に「ＢＡＲ」の図柄を表示するように回転を停止するため、ステップ５０６に進むことになる。これに対し、左回転リール23Lが滑りコマ数「０」ないし「４」の範囲で有効ライン37上に「ＢＡＲ」の図柄を引き込めない場合には、有効ライン37上に「ＢＡＲ」の図柄を表示しないように回転を停止するため、表示図柄判定処理を終了することになる。
【０１１０】
ステップ５０６において、ＢＡＲ表示信号が遊技制御装置100から演出制御装置300へ送信される。そして、表示図柄判定処理を終了する。
次に、スロットマシンSにおける演出の制御の概略について、図１９に示したフローチャートを用いて説明する。この制御は、演出制御装置300で所定時間毎に繰り返し実行される。
ステップ６０１ｂにおいて、遊技制御装置100から当選判定結果信号を受信したか否かの判断が行われる。そして、当選判定結果信号を受信したと判断した場合には、ステップ６０２ｂに進む。当選判定結果信号を受信していないと判断した場合には、ステップ６０８ｂに進む。
【０１１１】
ステップ６０２ｂにおいて、当選判定結果信号に基づき、ストップスイッチ54の操作順序の定めがあるか否かの判定が行われる。換言すると、抽選結果がいずれかの重複当選であるか否かの判断が行われる。そして、いずれかの重複当選であると判断した場合には、ステップ６０３ｂに進む。いずれの重複当選でもないと判断した場合には、本制御を終了する。
ステップ６０３ｂにおいて、操作順序報知抽選手段360による報知抽選が行われる。そして、ステップ６０４ｂに進む。
ステップ６０４ｂにおいて、報知抽選で当選したか否かの判断が行われる。そして、報知抽選で当選したと判断した場合には、ステップ６０５ｂに進む。報知抽選でハズレたと判断した場合には、本制御を終了する。
【０１１２】
ステップ６０５ｂにおいて、操作順序報知抽選手段360により抽選結果に応じた報知演出の実行が決定される。そして、ステップ６０６ｂに進む。
ステップ６０６ｂにおいて、ストップスイッチ54の操作順序に関する情報を報知する画像を、画像表示装置34に表示させる。具体的には、「最初に＊＊ストップスイッチ54を操作すること」を推奨する画像を、画像表示装置34に表示させる。そして、ステップ６０７ｂに進む。
ステップ６０７ｂにおいて、ストップスイッチ54の操作順序に関する情報を報知する音声を、スピーカ35,45から出力させる。具体的には、「最初に＊＊ストップスイッチ54を操作すること」を推奨する音声を、スピーカ35,45から出力させる。そして、本制御を終了する。
【０１１３】
ステップ６０８ｂにおいて、遊技制御装置100から赤７表示信号を受信したか否かの判断が行われる。そして、赤７表示信号を受信したと判断した場合には、ステップ６１１ｂに進む。赤７表示信号を受信していないと判断した場合には、ステップ６０９ｂに進む。
ステップ６０９ｂにおいて、遊技制御装置100から青７表示信号を受信したか否かの判断が行われる。そして、青７表示信号を受信したと判断した場合には、ステップ６１１ｂに進む。青７表示信号を受信していないと判断した場合には、ステップ６１０ｂに進む。
ステップ６１０ｂにおいて、遊技制御装置100からＢＡＲ表示信号を受信したか否かの判断が行われる。そして、ＢＡＲ表示信号を受信したと判断した場合には、ステップ６１１ｂに進む。ＢＡＲ表示信号を受信していないと判断した場合には、ステップ６１３ｂに進む。
【０１１４】
ステップ６１１ｂにおいて、有効ライン37上に同時に揃い得る２つの当選役についての図柄の組み合わせを示す画像を、画像表示装置34に表示させる。例えば、当選抽選手段130の抽選で「中押し（赤７）重複当選」となった場合に、遊技制御装置100から赤７表示信号を受信したと判断したときに、画像データ記憶手段310から「赤７・ベル・赤７当選役」及び「赤７・ベル・ベル当選役」に係る図柄の組み合わせを示す画像データを選択し、この画像データに従って画像表示装置34に画像を表示させる。そして、ステップ６１２ｂに進む。
ステップ６１２ｂにおいて、有効ライン37上に同時に揃い得る２つの当選役を報知する音声を、スピーカ35,45から出力させる。例えば、当選抽選手段130の抽選で「中押し（赤７）重複当選」となった場合に、遊技制御装置100から赤７表示信号を受信したと判断したときに、音声データ記憶手段330から「赤７・ベル・赤７当選役」及び「赤７・ベル・ベル当選役」に係る図柄の組み合わせを有効ライン37上に揃い得る旨の音声データを選択し、この音声データに従ってスピーカ35,45に音声を出力させる。そして、本制御を終了する。
【０１１５】
ステップ６１３ｂにおいて、遊技制御装置100から第３回転停止信号を受信したか否かの判断が行われる。そして、第３回転停止信号を受信したと判断した場合には、ステップ６１４ｂに進む。第３回転停止信号を受信していないと判断した場合には、本制御を終了する。
ステップ６１４ｂにおいて、通常の演出画像を画像表示装置34に表示させる。そして、本制御を終了する。
以上のように、第２の実施の形態によれば、当選抽選手段130の抽選で重複当選した場合に、ＲＡＭに設定された押し順フラグに対応するストップスイッチ54を最初に操作すると、「ベル当選役」に係る図柄の組み合わせを２本の有効ライン37上に揃えることができる。これに対し、ＲＡＭに設定された押し順フラグに対応しないストップスイッチ54を最初に操作すると、「ベル当選役」に係る図柄の組み合わせを２本の有効ライン37上に揃えることができなくなり、重複当選した当選役のいずれか１つの図柄の組み合わせを１本の有効ライン37上のみに揃えることができる。このとき、重複当選した当選役の中で図１５または図１６に示す（Ａ）の当選役に係る図柄を有効ライン37上に表示するように左回転リール23Lまたは右回転リール23Rを停止させることができたときには、（Ａ）及び（Ｂ）の当選役に係る図柄の組み合わせを有効ライン37上に揃えることができ、その旨を報知するようになっている。これにより、ＲＡＭに設定された押し順フラグに対応しないストップスイッチ54を最初に操作しても、２つの第二種当選役に入賞させることができ、遊技者がメダルを獲得する機会を逸することを防止できる。
【０１１６】
（第３の実施の形態）
第３の実施の形態では、当選抽選手段130の抽選で重複当選した場合において、所定の順序と異なるストップスイッチ54の操作を契機に当該回転リール23が回転を停止するとともに、第一種当選役に係る図柄を有効ライン37上に表示させたとき（すべての回転リール23が回転を停止したときを除く）に、第一種当選役に係る図柄の組み合わせを異なる有効ライン37上に同時に揃えさせるためにストップスイッチ54の操作時に狙わせる回転リール23の図柄についての報知を実行可能にした。
また、第３の実施の形態は、図柄表示窓31に中央有効ライン37Mが設けられていないこと、各回転リール23のリールテープ28の図柄配列が異なること（図２０参照）を除き、第１の実施の形態に係るハードウエアの構成と同様である。
【０１１７】
そこで、第３の実施の形態では、第１の実施の形態との相違点を中心に説明する。
（当選抽選手段130）
本実施の形態では、当選役には、「赤セブン当選役」と、「青セブン当選役」と、「ＢＡＲ当選役」と、「第１リプレイ当選役」と、「第３リプレイ当選役」と、「ベル当選役」と、「チェリー当選役」と、「スター当選役」と、「第１スイカ当選役」と、「第６スイカ当選役」と、「赤７・ベル・ベル当選役」と、「青７・ベル・ベル当選役」と、「ＢＡＲ・ベル・ベル当選役」とがある。
さらに、本実施の形態では、当選役には、有効ライン37上に「左回転リール23L・中央回転リール23M・右回転リール23R」の並びで「ベル・ベル・７（赤色）」の図柄が揃うと入賞となる「ベル・ベル・赤７当選役」と、「ベル・ベル・７（青色）」の図柄が揃うと入賞となる「ベル・ベル・青７当選役」と、「ベル・ベル・ＢＡＲ」の図柄が揃うと入賞となる「ベル・ベル・ＢＡＲ当選役」とがある。
【０１１８】
ここで、左回転リール23L及び右回転リール23Rには、「７（赤色）」の図柄がそれぞれ１個ずつ付されている。したがって、ストップスイッチ54を操作した際の回転リール23の回転位置によって、有効ライン37上に「７（赤色）」の図柄を引き込む停止制御を行うことが可能な場合と、不可能な場合とがある。また、「７（青色）」及び「ＢＡＲ」の図柄についても同様である。
そこで、本実施の形態では、「赤７・ベル・ベル当選役」、「青７・ベル・ベル当選役」、「ＢＡＲ・ベル・ベル当選役」、「ベル・ベル・赤７当選役」、「ベル・ベル・青７当選役」及び「ベル・ベル・ＢＡＲ当選役」を、ストップスイッチ54の操作時における回転リール23の回転位置によって、有効ライン37上に図柄の組み合わせを揃い得るか否かが異なる当選役（以下「第二種当選役」という。）とする。換言すると、「赤７・ベル・ベル当選役」ないし「ベル・ベル・ＢＡＲ当選役」は、当選抽選手段130の抽選で当選した場合に、ストップスイッチ54を操作したタイミングによって有効ライン37上に当選役の図柄（「７（赤色）」、「７（青色）」または「ＢＡＲ」の図柄）を引き込めないことがあるため、確実に入賞させるためには当選役の図柄を目押しする必要がある。また、これらの当選役は、入賞により有効ライン１本につきメダル６枚が支払われる。
【０１１９】
また、本実施の形態では、当選抽選手段130の抽選結果には、「ベル当選」と、「チェリー当選」と、「スター当選」と、「赤セブン当選」と、「青セブン当選」と、「ＢＡＲ当選」と、「第１リプレイ当選」と、「第２リプレイ当選」と、「第３リプレイ当選」と、「第１スイカ当選役」の当選となる「第１スイカ当選」と、「第６スイカ当選役」の当選となる「第６スイカ当選」とがある。
さらに、本実施の形態では、当選抽選手段130の抽選において、１つの第一種当選役及び異なる複数の第二種当選役に重複して当選することがある。重複当選する抽選結果には、「中押し（ＢＡＲ無し）重複当選」と、「中押し（青７無し）重複当選」と、「中押し（赤７無し）重複当選」と、「右押し（ＢＡＲ無し）重複当選」と、「右押し（青７無し）重複当選」と、「右押し（赤７無し）重複当選」と、「左押し（ＢＡＲ無し）重複当選」と、「左押し（青７無し）重複当選」と、「左押し（赤７無し）重複当選」とがある。
【０１２０】
「中押し（ＢＡＲ無し）重複当選」、「右押し（ＢＡＲ無し）重複当選」及び「左押し（ＢＡＲ無し）重複当選」は、「ベル当選役」、「ベル・ベル・赤７当選役」、「ベル・ベル・青７当選役」、「赤７・ベル・ベル当選役」及び「青７・ベル・ベル当選役」に重複当選する。これらの重複当選は、図柄の組み合わせに「ＢＡＲ」の図柄を含まない当選役で構成されている。
「中押し（青７無し）重複当選」、「右押し（青７無し）重複当選」及び「左押し（青７無し）重複当選」は、「ベル当選役」、「ベル・ベル・赤７当選役」、「ベル・ベル・ＢＡＲ当選役」、「赤７・ベル・ベル当選役」及び「ＢＡＲ・ベル・ベル当選役」に重複当選する。これらの重複当選は、図柄の組み合わせに「７（青色）」の図柄を含まない当選役で構成されている。
【０１２１】
「中押し（赤７無し）重複当選」、「右押し（赤７無し）重複当選」及び「左押し（赤７無し）重複当選」は、「ベル当選役」、「ベル・ベル・青７当選役」、「ベル・ベル・ＢＡＲ当選役」、「青７・ベル・ベル当選役」及び「ＢＡＲ・ベル・ベル当選役」に重複当選する。これらの重複当選は、図柄の組み合わせに「７（赤色）」の図柄を含まない当選役で構成されている。
したがって、遊技者は、左回転リール23Lまたは右回転リール23Rの回転を停止させる際に、「７（赤色）」、「７（青色）」または「ＢＡＲ」のいずれの図柄を目押しすれば当選役に入賞するか、その旨の報知がなければ分からない。
【０１２２】
なお、抽選で当選すると、当該当選に対応した当選フラグが遊技制御装置100のＲＡＭの所定領域に設定される。また、抽選で「中押し（ＢＡＲ無し）重複当選」、「中押し（青７無し）重複当選」または「中押し（赤７無し）重複当選」のいずれかとなった場合には、「中押しフラグ」が遊技制御装置100のＲＡＭの所定領域に設定される。また、抽選で「右押し（ＢＡＲ無し）重複当選」、「右押し（青７無し）重複当選」または「右押し（赤７無し）重複当選」のいずれかとなった場合には、「右押しフラグ」が遊技制御装置100のＲＡＭの所定領域に設定される。また、抽選で「左押し（ＢＡＲ無し）重複当選」、「左押し（青７無し）重複当選」または「左押し（赤７無し）重複当選」のいずれかとなった場合には、「左押しフラグ」が遊技制御装置100のＲＡＭの所定領域に設定される。
【０１２３】
（停止テーブル記憶手段）
本実施の形態では、それぞれの当選フラグに対応した停止テーブル（例えば、「赤セブン当選」に対応する「赤セブン停止テーブル」など）が、遊技制御装置100のＲＯＭに記憶されている。
「中押し（ＢＡＲ無し）停止テーブル」、「中押し（青７無し）停止テーブル」及び「中押し（赤７無し）停止テーブル」は、最初に中央ストップスイッチ54Mが操作された場合には、第一種当選役（ベル当選役）に係る図柄の組み合わせが異なる２本の有効ライン37上に同時に揃うように、且つこれ以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは右ストップスイッチ54Rが操作された場合には、重複当選した第一種当選役（ベル当選役）または第二種当選役（当選抽選手段130の説明を参照）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【０１２４】
ただし、「中押し（赤７無し）停止テーブル」は、最初に左ストップスイッチ54Lが操作された場合に、左回転リール23Lの「７（赤色）」の図柄を図柄表示窓31の中段に滑りコマ数「０」ないし「４」の範囲で引き込むことができるときには、「７（赤色）」の図柄を図柄表示窓31の中段に引き込むように左回転リール23Lの回転停止までの滑りコマ数が規定されている。そして、左回転リール23Lが「７（赤色）」の図柄を図柄表示窓31の中段に表示させるように停止したとき（このとき、左回転リール23Lの２個の「ベル」の図柄が、有効ライン37上に表示される。）には、「ベル」の図柄が異なる２本の有効ライン37上に揃うように、且つこれ以外の当選役に係る図柄の組み合わせが有効ライン37上に揃わないように、残りの回転リール23の回転停止までの滑りコマ数が規定されている。また、「中押し（赤７無し）停止テーブル」は、最初に右ストップスイッチ54Rが操作されて、右回転リール23Rが「ベル」の図柄を有効ライン37上に表示させるように停止した場合に、左回転リール23Lの「７（赤色）」の図柄を図柄表示窓31の中段に引き込める回転位置で左ストップスイッチ54Lが操作されたときには、「ベル」の図柄が異なる２本の有効ライン37上に揃うように、且つこれ以外の当選役に係る図柄の組み合わせが有効ライン37上に揃わないように、残りの回転リール23の回転停止までの滑りコマ数が規定されている。
【０１２５】
なお、「中押し（青７無し）停止テーブル」は、直近の「中押し（赤７無し）停止テーブル」の説明文中の「７（赤色）」を「７（青色）」と読み替えたものである。また、「中押し（ＢＡＲ無し）停止テーブル」は、直近の「中押し（赤７無し）停止テーブル」の説明文中の「７（赤色）」を「ＢＡＲ」と読み替えたものである。
「右押し（ＢＡＲ無し）停止テーブル」、「右押し（青７無し）停止テーブル」及び「右押し（赤７無し）停止テーブル」は、最初に右ストップスイッチ54Rが操作された場合には、第一種当選役（ベル当選役）に係る図柄の組み合わせが異なる２本の有効ライン37上に同時に揃うように、且つこれ以外の当選役に係る図柄の組み合わせが有効ライン37上に揃わないように、各回転リール23の回転停止までの滑りコマ数が規定されている。また、これらの停止テーブルは、最初に左ストップスイッチ54Lまたは中央ストップスイッチ54Mが操作された場合には、重複当選した第一種当選役（ベル当選役）または第二種当選役（当選抽選手段130の説明を参照）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【０１２６】
ただし、「右押し（赤７無し）停止テーブル」は、最初に左ストップスイッチ54Lが操作された場合、または最初に中央ストップスイッチ54Mが操作されて２番目に左ストップスイッチ54Lが操作された場合に、左回転リール23Lの「７（赤色）」の図柄を図柄表示窓31の中段に滑りコマ数「０」ないし「４」の範囲で引き込むことができるときには、「７（赤色）」の図柄を図柄表示窓31の中段に引き込むように左回転リール23Lの回転停止までの滑りコマ数が規定されている。そして、左回転リール23Lが「７（赤色）」の図柄を図柄表示窓31の中段に表示させるように停止したとき（このとき、左回転リール23Lの２個の「ベル」の図柄が、有効ライン37上に表示される。）には、「ベル」の図柄が異なる２本の有効ライン37上に揃うように、且つこれ以外の当選役に係る図柄の組み合わせが有効ライン37上に揃わないように、各回転リール23の回転停止までの滑りコマ数が規定されている。また、「右押し（赤７無し）停止テーブル」は、最初に中央ストップスイッチ54Mが操作されて、２番目に右ストップスイッチ54Rが操作されて、右回転リール23Rが「ベル」の図柄を有効ライン37上に表示させるように停止した場合に、左回転リール23Lの「７（赤色）」の図柄を図柄表示窓31の中段に引き込める回転位置で左ストップスイッチ54Lが操作されたときには、「ベル」の図柄が異なる２本の有効ライン37上に揃うように、且つこれ以外の当選役に係る図柄の組み合わせが有効ライン37上に揃わないように、各回転リール23の回転停止までの滑りコマ数が規定されている。
【０１２７】
なお、「右押し（青７無し）停止テーブル」は、直近の「右押し（赤７無し）停止テーブル」の説明文中の「７（赤色）」を「７（青色）」と読み替えたものである。また、「右押し（ＢＡＲ無し）停止テーブル」は、直近の「右押し（赤７無し）停止テーブル」の説明文中の「７（赤色）」を「ＢＡＲ」と読み替えたものである。
「左押し（ＢＡＲ無し）停止テーブル」、「左押し（青７無し）停止テーブル」及び「左押し（赤７無し）停止テーブル」は、最初に左ストップスイッチ54Lが操作された場合には、第一種当選役（ベル当選役）に係る図柄の組み合わせが異なる２本の有効ライン37上に同時に揃うように、且つこれ以外の当選役に係る図柄の組み合わせが有効ライン37上に揃わないように、各回転リール23の回転停止までの滑りコマ数が規定されている。また、これらの停止テーブルは、最初に中央ストップスイッチ54Mまたは右ストップスイッチ54Rが操作された場合には、重複当選した第一種当選役（ベル当選役）または第二種当選役（当選抽選手段130の説明を参照）のいずれか１つの図柄の組み合わせが１本の有効ライン37上に揃い得るように、且つこれ以外の当選役に係る図柄の組み合わせが有効ライン37上に揃わないように、各回転リール23の回転停止までの滑りコマ数が規定されている。
【０１２８】
また、「左押し（赤７無し）停止テーブル」は、最初に中央ストップスイッチ54Mが操作されて２番目に左ストップスイッチ54Lが操作された場合に、左回転リール23Lの「７（赤色）」の図柄を図柄表示窓31の中段に滑りコマ数「０」ないし「４」の範囲で引き込むことができるときには、「７（赤色）」の図柄を図柄表示窓31の中段に引き込むように左回転リール23Lの回転停止までの滑りコマ数が規定されている。そして、左回転リール23Lが「７（赤色）」の図柄を図柄表示窓31の中段に表示させるように停止したとき（このとき、左回転リール23Lの２個の「ベル」の図柄が、有効ライン37上に表示される。）には、「ベル」の図柄が異なる２本の有効ライン37上に揃うように、且つこれ以外の当選役に係る図柄の組み合わせが有効ライン37上に揃わないように、右回転リール23Rの回転停止までの滑りコマ数が規定されている。また、「左押し（赤７無し）停止テーブル」は、最初に右ストップスイッチ54Rが操作されて、右回転リール23Rが「ベル」の図柄を有効ライン37上に表示させるように停止した場合に、左回転リール23Lの「７（赤色）」の図柄を図柄表示窓31の中段に引き込める回転位置で左ストップスイッチ54Lが操作されたときには、「ベル」の図柄が異なる２本の有効ライン37上に揃うように、且つこれ以外の当選役に係る図柄の組み合わせが有効ライン37上に揃わないように、残りの回転リール23の回転停止までの滑りコマ数が規定されている。最初に中央ストップスイッチ54Mが操作されて２番目に右ストップスイッチ54Rが操作された場合についても、同様である。
【０１２９】
なお、「左押し（青７無し）停止テーブル」は、直近の「左押し（赤７無し）停止テーブル」の説明文中の「７（赤色）」を「７（青色）」と読み替えたものである。また、「左押し（ＢＡＲ無し）停止テーブル」は、直近の「左押し（赤７無し）停止テーブル」の説明文中の「７（赤色）」を「ＢＡＲ」と読み替えたものである。
（操作順序判定手段230）
本実施の形態では、操作順序判定手段230は、当選抽選手段130の抽選で「中押し（ＢＡＲ無し）重複当選」ないし「中押し（赤７無し）重複当選」、「右押し（ＢＡＲ無し）重複当選」ないし「右押し（赤７無し）重複当選」、「左押し（ＢＡＲ無し）重複当選」ないし「左押し（赤７無し）重複当選」の中のいずれかの当選となった場合、つまり、遊技制御装置100のＲＡＭの所定領域に「押し順フラグ」を有する場合に、１個目のストップスイッチ54が操作されたことを契機に、当該「押し順フラグ」の示す操作順序に一致するか否かを判定する。
【０１３０】
具体的には、操作順序判定手段230は、例えば、当選抽選手段130の抽選で「中押し（ＢＡＲ無し）重複当選」となり、遊技制御装置100のＲＡＭの所定領域に「中押しフラグ」が設定された場合に、停止制御手段160による回転リール23の停止制御が可能になった以後、１個目に中央ストップスイッチ54Mが操作されたときには、「一致」と判定する。また、停止制御手段160による回転リール23の停止制御が可能になった以後、１個目に左ストップスイッチ54Lまたは右ストップスイッチ54Rが操作されたときには、「不一致」と判定する。
（表示図柄判定手段240）
本実施の形態では、表示図柄判定手段240は、当選抽選手段130の抽選で「中押し（ＢＡＲ無し）重複当選」、「中押し（青７無し）重複当選」、「中押し（赤７無し）重複当選」、「左押し（ＢＡＲ無し）重複当選」、「左押し（青７無し）重複当選」または「左押し（赤７無し）重複当選」となった場合において、１個目に右ストップスイッチ54Rが操作されて操作順序判定手段230が不一致と判定したことを契機に、右回転リール23Rが「ベル」の図柄を有効ライン37上に表示させるように停止したか否かを判定する。そして、右回転リール23Rが「ベル」の図柄を有効ライン37上に表示させるように停止したと判定したときには、右回転リール23R用の「ベル表示信号」を演出制御装置300へ送信する。
【０１３１】
また、表示図柄判定手段240は、当選抽選手段130の抽選で「右押し（ＢＡＲ無し）重複当選」、「右押し（青７無し）重複当選」、「右押し（赤７無し）重複当選」、「左押し（ＢＡＲ無し）重複当選」、「左押し（青７無し）重複当選」または「左押し（赤７無し）重複当選」となった場合において、１個目に中央ストップスイッチ54Mが操作されて操作順序判定手段230が不一致と判定したことを契機に、中央回転リール23Mが「ベル」の図柄を有効ライン37上に表示させるように停止したか否かを判定する。そして、中央回転リール23Mが「ベル」の図柄を有効ライン37上に表示させるように停止したと判定したときには、中央回転リール23M用の「ベル表示信号」を演出制御装置300へ送信する。
【０１３２】
（支払制御手段200）
メダルの支払いは、当選役に係る図柄の組み合わせの揃った有効ライン37毎に行われる。例えば、入賞判定手段170により「チェリー当選役の入賞」と判定された場合は、「チェリー当選役」に係る図柄の組み合わせが４本の有効ライン37上に揃うので、「有効ライン１本につきメダル１枚」×「４本」で「４枚」のメダルを支払う制御を行う。
例えば、「ベル当選役」に係る図柄の組み合わせが１本の有効ライン37上に揃った場合には、「有効ライン１本につきメダル１０枚」×「１本」で「１０枚」のメダルを支払う制御を行う。また、「ベル当選役」に係る図柄の組み合わせが２本の有効ライン37上に揃った場合には、「有効ライン１本につきメダル１０枚」×「２本」で「２０枚」のメダルを支払う制御を行う。
【０１３３】
（スロットマシンSの動作）
第３の実施の形態に係るスロットマシンSにおいて、遊技の制御の概略、及び当選抽選処理については、第１の実施の形態と同様なので、説明を省略し、ここでは停止制御処理について説明する。
第３の実施の形態に係る停止制御処理は、第１の実施の形態に係る停止制御処理の内で、図１０に示したフローと共通だが、図１１に示したフローとは異なる。そこで、第１の実施の形態と共通のフローについては説明を省略し、第１の実施の形態と異なるフローについて、図２１に示したフローチャートを用いて説明する。
【０１３４】
第３の実施の形態では、ステップ３０７ａにおいて、遊技制御装置100のＲＡＭの所定領域に押し順フラグを有すると判定した場合に、ステップ４０１ｃに進む。
ステップ４０１ｃにおいて、１個目に操作されたストップスイッチ54が押し順フラグの示す操作順序と一致するか否かの判定が、操作順序判定手段230により行われる。そして、「不一致」と判定した場合には、ステップ４０２ｃに進む。「一致」と判定した場合には、ステップ３０８ａに進む。
ステップ４０２ｃにおいて、１個目に右ストップスイッチ54Rが操作されたか否かの判断が行われる。そして、１個目に右ストップスイッチ54Rが操作されたと判断した場合には、ステップ４０３ｃに進む。１個目に左ストップスイッチ54Lまたは中央ストップスイッチ54Mが操作されたと判断した場合には、ステップ４０５ｃに進む。
【０１３５】
ステップ４０３ｃにおいて、遊技制御装置100のＲＡＭの所定領域に「中押しフラグ」を有するか否かの判断が行われる。そして、遊技制御装置100のＲＡＭの所定領域に「中押しフラグ」を有さないと判断した場合には、ステップ４０４ｃに進む。遊技制御装置100のＲＡＭの所定領域に「中押しフラグ」を有すると判断した場合には、ステップ４０８ｃに進む。
ステップ４０４ｃにおいて、遊技制御装置100のＲＡＭの所定領域に「左押しフラグ」を有するか否かの判断が行われる。そして、遊技制御装置100のＲＡＭの所定領域に「左押しフラグ」を有すると判断した場合には、ステップ４０８ｃに進む。遊技制御装置100のＲＡＭの所定領域に「左押しフラグ」を有さないと判断した場合には、ステップ３０８ａに進む。
【０１３６】
ステップ４０５ｃにおいて、１個目に中央ストップスイッチ54Mが操作されたか否かの判断が行われる。そして、１個目に中央ストップスイッチ54Mが操作されたと判断した場合には、ステップ４０６ｃに進む。１個目に左ストップスイッチ54Lまたは右ストップスイッチ54Rが操作されたと判断した場合には、ステップ３０８ａに進む。
ステップ４０６ｃにおいて、遊技制御装置100のＲＡＭの所定領域に「右押しフラグ」を有するか否かの判断が行われる。そして、遊技制御装置100のＲＡＭの所定領域に「右押しフラグ」を有さないと判断した場合には、ステップ４０７ｃに進む。遊技制御装置100のＲＡＭの所定領域に「右押しフラグ」を有すると判断した場合には、ステップ４０８ｃに進む。
【０１３７】
ステップ４０７ｃにおいて、遊技制御装置100のＲＡＭの所定領域に「左押しフラグ」を有するか否かの判断が行われる。そして、遊技制御装置100のＲＡＭの所定領域に「左押しフラグ」を有すると判断した場合には、ステップ４０８ｃに進む。遊技制御装置100のＲＡＭの所定領域に「左押しフラグ」を有さないと判断した場合には、ステップ３０８ａに進む。
ステップ４０８ｃにおいて、回転リール23が「ベル」の図柄を有効ライン37上に表示させるように停止したか否かの判定が、表示図柄判定手段240により行われる。そして、回転リール23が「ベル」の図柄を有効ライン37上に表示させるように停止したと判定した場合には、ステップ４０９ｃに進む。回転リール23が「ベル」の図柄を有効ライン37上に表示させるように停止していないと判定した場合には、ステップ３０８ａに進む。
【０１３８】
ステップ４０９ｃにおいて、ベル表示信号が遊技制御装置100から演出制御装置300へ送信される。そして、ステップ３０８ａに進む。
次に、スロットマシンSにおける演出の制御の概略について、図２２に示したフローチャートを用いて説明する。この制御は、演出制御装置300で所定時間毎に繰り返し実行される。
ステップ６０１ｃにおいて、遊技制御装置100から当選判定結果信号を受信したか否かの判断が行われる。そして、当選判定結果信号を受信したと判断した場合には、ステップ６０２ｃに進む。当選判定結果信号を受信していないと判断した場合には、ステップ６０８ｃに進む。
【０１３９】
ステップ６０２ｃにおいて、当選判定結果信号に基づき、ストップスイッチ54の操作順序の定めがあるか否かの判定が行われる。換言すると、抽選結果がいずれかの重複当選であるか否かの判断が行われる。そして、いずれかの重複当選であると判断した場合には、ステップ６０３ｃに進む。いずれの重複当選でもないと判断した場合には、本制御を終了する。
ステップ６０３ｃにおいて、操作順序報知抽選手段360による報知抽選が行われる。そして、ステップ６０４ｃに進む。
ステップ６０４ｃにおいて、報知抽選で当選したか否かの判断が行われる。そして、報知抽選で当選したと判断した場合には、ステップ６０５ｃに進む。報知抽選でハズレたと判断した場合には、本制御を終了する。
【０１４０】
ステップ６０５ｃにおいて、操作順序報知抽選手段360により抽選結果に応じた報知演出の実行が決定される。そして、ステップ６０６ｃに進む。
ステップ６０６ｃにおいて、ストップスイッチ54の操作順序に関する情報を報知する画像を、画像表示装置34に表示させる。具体的には、「最初に＊＊ストップスイッチ54を操作すること」を推奨する画像を、画像表示装置34に表示させる。そして、ステップ６０７ｃに進む。
ステップ６０７ｃにおいて、ストップスイッチ54の操作順序に関する情報を報知する音声を、スピーカ35,45から出力させる。具体的には、「最初に＊＊ストップスイッチ54を操作すること」を推奨する音声を、スピーカ35,45から出力させる。そして、本制御を終了する。
【０１４１】
ステップ６０８ｃにおいて、遊技制御装置100からベル表示信号を受信したか否かの判断が行われる。そして、ベル表示信号を受信したと判断した場合には、ステップ６０９ｃに進む。ベル表示信号を受信していないと判断した場合には、ステップ６１１ｃに進む。
ステップ６０９ｃにおいて、左ストップスイッチ54Lの操作時に狙う左回転リール23Lの図柄を報知する画像を、画像表示装置34に表示させる。例えば、当選抽選手段130の抽選で「中押し（ＢＡＲ無し）重複当選」となった場合に、遊技制御装置100からベル表示信号を受信したと判断したときに、左ストップスイッチ54Lの操作時に左回転リール23Lの「ＢＡＲ」の図柄を狙うことを指示する旨の画像データを画像データ記憶手段310から選択し、この画像データに従って画像表示装置34に画像を表示させる。そして、ステップ６１０ｃに進む。
【０１４２】
ステップ６１０ｃにおいて、左ストップスイッチ54Lの操作時に狙う左回転リール23Lの図柄を報知する音声を、スピーカ35,45から出力させる。例えば、当選抽選手段130の抽選で「中押し（ＢＡＲ無し）重複当選」となった場合に、遊技制御装置100からベル表示信号を受信したと判断したときに、左ストップスイッチ54Lの操作時に左回転リール23Lの「ＢＡＲ」の図柄を狙うことを指示する旨の音声データを音声データ記憶手段330から選択し、この音声データに従ってスピーカ35,45に音声を出力させる。そして、本制御を終了する。
ステップ６１１ｃにおいて、遊技制御装置100から第３回転停止信号を受信したか否かの判断が行われる。そして、第３回転停止信号を受信したと判断した場合には、ステップ６１２ｃに進む。第３回転停止信号を受信していないと判断した場合には、本制御を終了する。
【０１４３】
ステップ６１２ｃにおいて、通常の演出画像を画像表示装置34に表示させる。そして、本制御を終了する。
以上のように、第３の実施の形態では、当選抽選手段130の抽選で重複当選した場合において、所定の順序と異なるストップスイッチ54の操作を契機に当該回転リール23が回転を停止するとともに、第一種当選役に係る図柄を有効ライン37上に表示させたとき（すべての回転リール23が回転を停止したときを除く）に、第一種当選役に係る図柄の組み合わせを異なる有効ライン37上に同時に揃えさせるためにストップスイッチ54の操作時に狙わせる回転リール23の図柄についての報知を実行することがある。これにより、当該ゲームにおいて当選役に入賞し得るようにすることができ、遊技者がメダルを獲得する機会を逸することを防止できる。
【０１４４】
（第４の実施の形態）
第４の実施の形態では、当選抽選手段130の抽選で重複当選した場合において、所定の順序と異なるストップスイッチ54が最初に操作されたことを契機に、当該回転リール23の停止制御を行うが、所定の時間が経過するまでは他のストップスイッチ54が操作されても他の回転リール23の停止制御を行わないようにした。
また、第４の実施の形態は、ハードウエアの構成については、第１の実施の形態と同様である。
そこで、第４の実施の形態では、第１の実施の形態との相違点を中心に説明する。
【０１４５】
（フリーズ計時手段）
フリーズ計時手段は、当選抽選手段130の抽選で重複当選した場合において、所定の順序と異なるストップスイッチ54が最初に操作されたことを契機に、所定の時間が経過するまでは他のストップスイッチ54が操作されても他の回転リール23の停止制御を行わない時間を計時するためのものである。フリーズ計時手段は、遊技制御装置100に設けられている。
本実施の形態では、当選抽選手段130の抽選で重複当選した場合、つまり、遊技制御装置100のＲＡＭの所定領域に「押し順フラグ」を有する場合に、１個目のストップスイッチ54が操作されたことを契機に、当該「押し順フラグ」の示す操作順序に一致するか否かが操作順序判定手段230により判定されるとともに、ストップスイッチ54の操作の受付を終了する。そして、フリーズ計時手段は、操作順序判定手段230が不一致と判定したことを契機に、カウント値を初期値「３秒」にリセットするとともに、カウントダウンを開始する。そして、フリーズ計時手段のカウント値が「０秒」に到達したことを契機に、ストップスイッチ54の操作の受付を開始する。これにより、２個目のストップスイッチ54が操作されると、対応する回転リール23の停止制御が行われるようになる。
【０１４６】
（スロットマシンSの動作）
第４の実施の形態に係るスロットマシンSにおいて、遊技の制御の概略、及び当選抽選処理については、第１の実施の形態と同様なので、説明を省略する。ここでは、停止制御処理について、図２３に示したフローチャートを用いて説明する。
ステップ３０１ｄにおいて、遊技制御装置100のＲＡＭの所定領域に有する当選フラグに応じた停止テーブルが、停止テーブル記憶手段から停止テーブル選択手段によって読み出される。そして、ステップ３０２ｄに進む。
ステップ３０２ｄにおいて、ストップスイッチ54の操作の受付を開始する。これにより、ストップスイッチ54が操作されてストップ信号が出力されると、対応する回転リール23の停止制御を行うようになる。そして、ステップ３０３ｄに進む。
【０１４７】
ステップ３０３ｄにおいて、１個目のストップスイッチ54が操作されたか否かの判断が行われる。そして、１個目のストップスイッチ54が操作されたと判断したときには、ステップ３０４ｄに進む。１個目のストップスイッチ54が操作されていないと判断したときには、ステップ３０３ｄに戻る。
ステップ３０４ｄにおいて、ストップスイッチ54の操作の受付を終了する。これにより、ストップスイッチ54が操作されてストップ信号が出力されても、対応する回転リール23の停止制御を行わないようになる。そして、ステップ３０５ｄに進む。
ステップ３０５ｄにおいて、遊技制御装置100のＲＡＭの所定領域に押し順フラグを有するか否かの判定が行われる。換言すると、遊技制御装置100のＲＡＭの所定領域に左押しフラグ、中押しフラグまたは右押しフラグのいずれかを有するか否かの判定が行われる。そして、遊技制御装置100のＲＡＭの所定領域に押し順フラグを有すると判定した場合には、ステップ３０６ｄに進む。遊技制御装置100のＲＡＭの所定領域に押し順フラグを有さないと判定した場合には、ステップ３０７ｄに進む。
【０１４８】
ステップ３０６ｄにおいて、１個目に操作されたストップスイッチ54が押し順フラグの示す操作順序と一致するか否かの判定が、操作順序判定手段230により行われる。そして、「一致」と判定した場合には、ステップ３０７ｄに進む。「不一致」と判定した場合には、ステップ４０１ｄに進む。
ステップ３０７ｄにおいて、読み出した停止テーブルを参照して、操作されたストップスイッチ54に対応する回転リール23の滑りコマ数を取得する。そして、ステップ３０８ｄに進む。
ステップ３０８ｄにおいて、取得した滑りコマ数分の停止基準位置を通過させてから最初に図柄表示窓31に表示される停止基準位置に回転リール23が停止するように、ステッピングモータ26の回転駆動を停止させる。そして、ステップ３０９ｄに進む。
【０１４９】
ステップ４０１ｄにおいて、不一致信号が遊技制御装置100から演出制御装置300へ送信される。そして、ステップ４０２ｄに進む。
ステップ４０２ｄにおいて、フリーズ計時手段が、カウント値を初期値「３秒」にリセットするとともに、カウントダウンを開始する。そして、ステップ４０３ｄに進む。
ステップ４０３ｄにおいて、読み出した停止テーブルを参照して、操作されたストップスイッチ54に対応する回転リール23の滑りコマ数を取得する。そして、ステップ４０４ｄに進む。
ステップ４０４ｄにおいて、取得した滑りコマ数分の停止基準位置を通過させてから最初に図柄表示窓31に表示される停止基準位置に回転リール23が停止するように、ステッピングモータ26の回転駆動を停止させる。そして、ステップ４０５ｄに進む。
【０１５０】
ステップ４０５ｄにおいて、回転リール23が「スイカ」の図柄を有効ライン37上に表示させるように停止したか否かの判定が、表示図柄判定手段240により行われる。そして、回転リール23が「スイカ」の図柄を有効ライン37上に表示させるように停止したと判定した場合には、ステップ４０６ｄに進む。回転リール23が「スイカ」の図柄を有効ライン37上に表示させるように停止していないと判定した場合には、ステップ４０７ｄに進む。
ステップ４０６ｄにおいて、スイカ表示信号が遊技制御装置100から演出制御装置300へ送信される。そして、ステップ４０９ｄに進む。
ステップ４０７ｄにおいて、回転リール23が「花スイカ」の図柄を有効ライン37上に表示させるように停止したか否かの判定が、表示図柄判定手段240により行われる。そして、回転リール23が「花スイカ」の図柄を有効ライン37上に表示させるように停止したと判定した場合には、ステップ４０８ｄに進む。回転リール23が「花スイカ」の図柄を有効ライン37上に表示させるように停止していないと判定した場合には、ステップ４０９ｄに進む。
【０１５１】
ステップ４０８ｄにおいて、花スイカ表示信号が遊技制御装置100から演出制御装置300へ送信される。そして、ステップ４０９ｄに進む。
ステップ４０９ｄにおいて、フリーズ計時手段のカウント値が「０秒」に到達したか否かの判断が行われる。そして、フリーズ計時手段のカウント値が「０秒」に到達したと判断した場合には、ステップ３０９ｄに進む。フリーズ計時手段のカウント値が「０秒」に到達していないと判断した場合には、ステップ４０９ｄに戻る。
ステップ３０９ｄにおいて、ストップスイッチ54の操作の受付を開始する。なお、これ以降のフローは、第１の実施の形態におけるステップ３０９ａ以降のフローと同様なので、説明を省略する。
【０１５２】
以上のように、第４の実施の形態では、当選抽選手段130の抽選で重複当選した場合において、所定の順序と異なるストップスイッチ54が最初に操作されたときに、所定の時間が経過するまでは他のストップスイッチ54が操作されても他の回転リール23の停止制御を行わないようになっている。これにより、他のストップスイッチ54が操作されても、他の回転リール23が回転を停止しないので、当該ゲームにおいて当選役に入賞し得るようにすることができ、遊技者がメダルを獲得する機会を逸することを防止できる。
なお、本発明は、上述した実施の形態に限定されるものではなく、本発明の目的を達成できる範囲における変形や改良も含むものである。また、本発明は、上述した実施の形態を適宜組み合わせる、または組み替えることもできる。
【符号の説明】
【０１５３】
23  回転リール                        37  有効ライン
53  スタートスイッチ                  54  ストップスイッチ
120 当選抽選手段                      160 停止制御手段
230 操作順序判定手段                  240 表示図柄判定手段
【図１】
2010207528.tif 000003
【図２】
2010207528.tif 000004
【図３】
2010207528.tif 000005
【図４】
2010207528.tif 000006
【図５】
2010207528.tif 000007
【図６】
2010207528.tif 000008
【図７】
2010207528.tif 000009
【図８】
2010207528.tif 000010
【図９】
2010207528.tif 000011
【図１０】
2010207528.tif 000012
【図１１】
2010207528.tif 000013
【図１２】
2010207528.tif 000014
【図１３】
2010207528.tif 000015
【図１４】
2010207528.tif 000016
【図１５】
2010207528.tif 000017
【図１６】
2010207528.tif 000018
【図１７】
2010207528.tif 000019
【図１８】
2010207528.tif 000020
【図１９】
2010207528.tif 000021
【図２０】
2010207528.tif 000022
【図２１】
2010207528.tif 000023
【図２２】
2010207528.tif 000024
【図２３】
2010207528.tif 000025